(57)【要約】  検出装置の１つの非限定的なバリエーションは、それぞれが１つ又はそれ以上の対象昆虫種の生化学反応を示す少なくとも１つの生化学物質を検出して対応するセンサ信号を供給するように構成される１つ又はそれ以上のセンサと、１つ又はそれ以上のセンサのそれぞれのセンサ信号に応答して１つ又はそれ以上の昆虫種が存在するかどうかを決定するとともに対応する出力信号を生成するコントローラと、出力信号に応答して１つ又はそれ以上の昆虫種の存在を表示するインジケータとを含む。
2010507390.tif 000002
【特許請求の範囲】
【請求項１】
ナンキンムシの存在を監視するための装置であって、
デバイスによって受けられる物質を分析して１つ又はそれ以上の対応するセンサ信号を生成するように構成される１つ又はそれ以上のセンサを含む検出装置と、
検出装置に動作可能に結合され、１つ又はそれ以上の対応するセンサ信号に基づいて物質中にニトロフォリンが含まれているかどうかを決定し且つ物質中のニトロフォリンの存在に応じてナンキンムシの存在を表わす出力信号を生成するための動作論理を伴って構成されるコントローラと、
ナンキンムシの存在にしたがって動作するために出力信号に応答する出力デバイスと、
を備える装置。
【請求項２】
前記出力デバイスは、比色出力又は蛍光出力のうちの１つ又はそれ以上を伴うインジケータを含む、請求項１に記載の装置。
【請求項３】
前記出力デバイスは、出力信号に応じてオペレータに対して視覚出力を与えるための手段を含む、請求項１に記載の装置。
【請求項４】
前記出力デバイスは、出力信号に応じてオペレータに対して聴覚出力を与えるための手段を含む、請求項１に記載の装置。
【請求項５】
前記出力デバイスは、出力信号に応じてナンキンムシを駆除するための手段を含む、請求項１に記載の装置。
【請求項６】
駆除するための前記手段が少なくとも１つの殺虫剤を含む、請求項５に記載の装置。
【請求項７】
前記検出装置、コントローラ、及び、出力デバイスがハウジング内に収容される請求項１に記載の装置。
【請求項８】
前記ハウジングは、デバイスに対して電力を供給するためにプラグ部材を伴うプラグ差し込み式の形態を成し、前記プラグ部材は、電気壁ソケット内に係合されるときに床の高さよりも上側でデバイスを支持するために電気ソケットと係合して片持ち梁を形成するように構成される請求項７に記載の装置。
【請求項９】
ナンキンムシの存在を評価するために部屋を選択することと、
部屋から物質を受けることと、
物質中のニトロフォリンの存在を検出することと、
ニトロフォリンの存在に応じて、ナンキンムシの存在を示すデバイスを作動させることと、
を含む方法。
【請求項１０】
前記デバイスがインジケータである、請求項９に記載の方法。
【請求項１１】
前記デバイスを作動させることは、ナンキンムシを駆除するためにデバイスから殺虫剤を供給することを含む、請求項９に記載の方法。
【請求項１２】
前記デバイスがインジケータを含み、前記デバイスを作動させることは、比色出力及び蛍光出力のうちの少なくとも１つを与えることを含む、請求項９に記載の方法。
【請求項１３】
前記デバイスは、作動されるときに聴覚出力を与える、請求項９に記載の方法。
【請求項１４】
前記検出が検出装置を用いて行なわれ、前記検出装置及び前記デバイスは、前記検出装置及び前記デバイスに対して電力を供給するためにプラグ部材を伴うプラグ差し込み形態のハウジング内に含められ、前記プラグ部材は、電気壁ソケット内に係合されるときに床の高さよりも上側でデバイスを支持するために電気ソケットと係合して片持ち梁を形成するように構成される、請求項９に記載の方法。
【請求項１５】
前記デバイスが手持ち式の携帯型のものである、請求項９に記載の方法。
【請求項１６】
前記物質を受けることは、部屋内の表面から物質を得ることを含む、請求項９に記載の方法。
【請求項１７】
部屋内のナンキンムシの存在を決定するための方法であって、
部屋から物質のサンプルを取得することと、
サンプルを分析して、物質中にニトロフォリンが存在するかどうかを決定することと、
ニトロフォリンの存在の決定に応じて、ナンキンムシの存在の表示を与えることと、
を含む方法。
【請求項１８】
ナンキンムシの存在の表示を与えることに応じてナンキンムシを駆除することを更に含む、請求項１７に記載の方法。
【請求項１９】
前記ナンキンムシの駆除は、少なくとも１つの殺虫剤を加えることを含む、請求項１８に記載の方法。
【請求項２０】
サンプルを取得し、分析し、表示を与え、及び、駆除することが単一のデバイスによって行なわれる、請求項１８に記載の方法。
【請求項２１】
前記デバイスは、電気壁ソケット内に係合されるときに床の高さよりも上側で前記デバイスを支持するために電気ソケットと係合して片持ち梁を形成するように構成されるプラグ部材を伴うプラグ差し込み式の形態を成す、請求項２０に記載の方法。
【請求項２２】
遠隔場所からナンキンムシの存在を監視するためにサンプルを取得し、分析し、遠隔場所へと表示を与えることを実行するデバイスをネットワーク化することを更に含む、請求項１７に記載の方法。
【発明の詳細な説明】
【技術分野】
【０００１】
関連出願の相互参照
本発明は、２００６年１０月２３日に出願された米国仮特許出願第６０／８５３，５７３号及び２００６年１０月２５日に出願された米国仮特許出願第６０／８５４，３７８号の優先権を主張しており、これらの米国仮特許出願のそれぞれは参照することによりその全体が本願に組み入れられる。
【０００２】
本発明は、害虫防除に関し、特に、排他的ではないが、例えばナンキンムシを含む昆虫の検出、監視、及び、防除に関する。
【背景技術】
【０００３】
最近のデータは、人間の住居のナンキンムシの侵入（トコジラミ種）が増加していることを示唆している。少なくとも９２種類が世界中で特定されており、そのうちの少なくとも１６種類が北アメリカ大陸に存在する。一般に、ナンキンムシは、その宿主が人間及び様々な家畜を含む寄生害虫である。現在、ナンキンムシ群を防ぐために持続型の残留殺虫剤がもはや使用されないため、ナンキンムシ侵入が少なくとも一部で更に問題になってきていると考えられている。また、海外旅行の増大及び殺虫剤耐性によって、ナンキンムシの侵入が拡大し、また、殺虫剤を用いた防除が非常に難しくなってきた。規模の点から見て、そのような侵入は、新聞での悪評又は酷評によってもたらされる企業評判リスクとなるため、ホテル経営者、観光船、列車、デイケア施設などにとって特に関心事である。他の問題のある領域としては、どちらかと言えば、介護施設、バラック、寮、病院、及び、様々な他の形態の高密集住居が挙げられる。それにもかかわらず、単一の家庭でも悪影響が及ぶ可能性がある。
【０００４】
これらの住居の多くにおいて、持続型殺虫剤を噴射及び／又は散布によって広範囲に適用することは望ましくない。結果として、ナンキンムシ検出、監視、及び、防除に対する新たなアプローチが求められている。本出願は、ナンキンムシに対して適用できるだけでなく、他の種類の昆虫の検出、監視、及び、防除にも用途を見出すことができる、これらのラインに沿った貢献を与える。
【発明の概要】
【０００５】
本出願の１つの実施形態は、昆虫の侵入を検出し、監視し、及び／又は、防除するための独特の技術を含む。他の実施形態は、ナンキンムシを検出し、監視し、及び／又は、防除するための独特の方法、システム、デバイス、及び、装置を含む。
【０００６】
更なる実施形態は、それぞれが少なくともニトロフォリンを検出して対応するセンサ信号を供給するように構成される１つ又はそれ以上のセンサを含む検出装置と、１つ又はそれ以上のセンサのそれぞれのセンサ信号に応答してニトロフォリンがナンキンムシの存在を示すかどうかを決定し且つ対応する出力信号を生成するコントローラと、出力信号に応答してナンキンムシの存在を表示するインジケータとを含む。
【０００７】
更に他の実施形態は、昆虫防除又は検出デバイスを作動させて、部屋内にナンキンムシが存在するかどうかを決定することを含み、これは、部屋からの物質を分析してニトロフォリンを検出すること、及び、物質の分析によってニトロフォリンが検出される場合にナンキンムシが存在することをオペレータに知らせることを含む。
【０００８】
部屋内のナンキンムシの存在を決定するための更なる実施形態は、部屋から物質のサンプルを取得し、サンプルを分析して、物質中にニトロフォリンが存在するかどうかを決定し、ニトロフォリンの存在の決定に応じて、ナンキンムシの存在の表示を与えることを含む。
【０００９】
したがって、本発明の１つの目的は、昆虫の侵入を防除するための独特の技術を提供することである。
【００１０】
他の目的は、ナンキンムシを防除し或いは検出して監視するための独特の方法、システム、デバイス又は装置を提供することである。
【００１１】
本出願の更なる実施形態、形態、特徴、態様、利点、利益は、明細書本文及び添付図面から明らかになる。
【図面の簡単な説明】
【００１２】
【図１】ナンキンムシの侵入を検出して対処するのに適したシステムの概略図である。
【図２】図１のシステムの第１のタイプのデバイスの概略部分断面図である。
【図３】殺虫剤を用いてナンキンムシを排除する図１のシステムの第２のタイプのデバイスの概略部分断面図である。この第２のタイプのデバイスは、図２のデバイスに加えて或いは代えて使用できる。
【図４】図１のシステムを使用するための１つの手続きを示すフローチャートである。
【図５】ナンキンムシの侵入に対処するのに適した第２のタイプのシステムの概略図である。
【図６】ナンキンムシを排除するための殺虫剤を含む図５のシステムの第１のタイプのデバイスの概略部分断面図である。
【図７】図５のシステムの第２のタイプのデバイスの概略部分断面図である。この第２のタイプのデバイスは、図６のデバイスに加えて或いは代えて使用できる。
【図８】図５のシステムを使用するための１つの手続きを示すフローチャートである。
【発明を実施するための形態】
【００１３】
本発明の原理の理解を促すため、ここで、図面に示される実施形態を参照するとともに、特定の言語を使用して実施形態を説明する。それにもかかわらず、これより、本発明の範囲を限定しようとするものでないことは言うまでもない。通常、本発明が関連する技術分野における当業者が想起するように、説明される実施形態における任意の変更及び更なる改良、並びに、本明細書中で説明される本発明の原理の更なる適用が考慮される。
【００１４】
ここで、図１を参照すると、部屋１５内での昆虫、例えばナンキンムシの侵入に対処するのに適したシステム１０の概略図が示されている。システム１０は少なくとも１つのデバイス２０を含んでおり、デバイス２０は、図示のように、ベッド４０の脚部４１に取り付けられるとともに、昆虫群、例えばナンキンムシ群を検出すること、監視すること、防除すること、のうちの１つ又はそれ以上に適している。システム１０で使用されるデバイス２０の総数は、侵入問題及び／又は効果的な除去が望まれる期間に関連して変動してもよい。ベッド４０は、ボックススプリング４５上に配置されるマットレス４４のための支持体を形成するためにフレーム４２及びヘッドボード４３を介して互いに接続される脚部４１ｂ〜４１ｄを更に含む。言うまでもなく、別の実施形態において、ベッドシステム４０は、図１に示されるものに加えて或いは代えて１つ又はそれ以上の構成要素を備えていてもよい。例えば、他の実施形態において、ベッドシステム４０は、ボックススプリング４５又はヘッドボード４３を欠いていてもよく、あるいは、フットボードを含んでいてもよい。更なる他の実施形態において、ベッドシステム４０は、部屋１５の床１６の上に直接にセットされるボックススプリング４５上にマットレス４４を含むだけであってもよい。デバイス２０は、釘、ネジ、ボルト、画鋲、クランプ、ストラップ、接着剤、テープ、フック、及び、ループコネクタ（ＶＥＬＣＲＯなど）を含むがこれらに限定されない任意のタイプの留め具、及び／又は、当業者が想起するような異なる留め具類によってベッド脚部４１ａに取り付けられてもよい。図示しない別の実施形態では、デバイス２０がベッドシステム４０の構造体上の他の場所に配置されてもよい。例えば、デバイス２０は、脚部４１ａ〜４１ｄ、フレーム４２、ヘッドボード４３、マットレス４４の一部、又は、ボックススプリング４５上のうちのいずれかに配置されてもよい。他の別の実施形態において、デバイス２０は、壁１７又は１８或いは部屋１５の他の場所のうちのいずれかに配置されてもよい。
【００１５】
言うまでもなく、図１に示されるように、システム１０は部屋１５内で使用されるべきであり、その場合、部屋１５は、可能性のある例を幾つか挙げると、寮、ホステル、シェルター、ホテル、モーテル、朝食付きの宿、テント、キャビン、介護施設、病院、及び／又は、家に属する。更なる実施形態において、システム１０は、ナンキンムシ摂食期間中、例えば夜間に血粉、特に人間の血粉がナンキンムシの存在し得る任意の場所で使用されてもよい。例えば、システム１０は、乗り物（例えば、船又は大型バス）の寝室又はキャビン内、あるいは、保育園及び学校の寝室内に配置されてもよい。システム１０は、各場所の特定の属性にしたがって個別に構成されてもよい。
【００１６】
更に、指定された領域内でのデバイス２０の配置は、異なる場所に伴って変動してもよいだけでなく、近くにナンキンムシがいそうな或いはナンキンムシの隠れ場所がありそうな見込みが高いことを示す物的証拠にしたがって変動することもできる。例えば、デバイス２０は、ナンキンムシ排泄物又は糞便、脱皮した外骨格殻、卵、又は、血斑のうちの１つ又はそれ以上に近接して配置されてもよい。１つの実施形態において、デバイス２０は、例えばマットレス４４の近傍のように、人間の血粉群の想定し得る場所に近接して配置されてもよい。図示しない他の実施形態において、デバイス２０は、割れ目、隙間、又は、裂け目の形態を成す１つ又はそれ以上のナンキンムシ隠れ場所又はその近傍に配置されてもよい。例えば、デバイス２０は、部屋１５内の壁１７，１８のいずれかの乾式壁体又は石膏の剥げた壁紙又は割れ目の近傍に配置されてもよい。また、壁１７及び／又は１８に装着された１つ又はそれ以上の装飾成形物を部屋１５が含む実施形態の場合には、デバイス２０がその装飾成形物に近接して配置されてもよい。１つの変形例において、デバイス２０は、装飾成形物又はベッドルームで典型的に見出される他の一般的な装飾形体を擬態するように形成されて構成される。他の実施形態において、デバイス２０は、例えば強固に留められ或いは丸めて片付けられるカーペットの縁の近傍のように、床１６の表面上のフローリングに隣接して配置されてもよい。他の変形例において、デバイス２０は、当業者であれば分かるように、供給エアダクト又は戻しエアダクトのうちの１つ又はそれ以上と連通してもよい１つ又はそれ以上のエアダクト排気口２１又はその近傍に配置されてもよい。他の形態において、デバイス２０は、排気口２１を介して連通する供給エアダクト又は戻しエアダクト内に配置されてもよい。また、デバイス２０がナンキンムシ防除にとって効果的な任意の位置に配置されてもよいと考えられる。
【００１７】
図２の概略部分断面図にデバイス２０が更に詳しく示されている。デバイス２０は、相互接続センサ３８と、コントローラ４８と、インジケータ５２と、電源５６とを一般に含む検出装置３７を収容する内部チャンバ３５を囲繞する外壁３４とトップカバー３６とによって形成されるハウジング部材３２を含んでいる。図示しない別の実施形態では、検出装置３７が図２に示されるものに加えて或いは代えて１つ又はそれ以上の構成要素を含んでいてもよいと考えられる。更に、様々な実施形態では、検出装置３７の構成要素が図２に示される形態とは別の１つ又はそれ以上の形態で設けられてもよいことは言うまでもない。
【００１８】
センサ３８は、デバイス２０が配置される領域の環境に対して検出部４２が外部から晒され得るように、開口４０で外壁３４を貫通して延びている。センサ３８は、一般に、１つ又はそれ以上の生化学物質１４４をそれがナンキンムシ生化学反応を示すかどうかを決定するために分析するように構成されている。センサ３８を用いて行なわれる生化学検出メカニズムの幾つかの詳細な例については、図１〜３に概ね関連して更に以下で説明する。検出部４２は少なくとも一部がチャンバ３５の外部にあるように示されているが、別の実施形態では、検出部４２がチャンバ３５内に完全に配置されてもよいことは言うまでもない。これらの実施形態において、デバイス２０は、生化学物質を運ぶための１つ又はそれ以上の構成要素を含んでいてもよい。例えば、そのような物質１４４が空気中で運ばれる場合には、少なくとも生化学物質１４４の一部を開口４０を通じて内部チャンバ３５へ送り込んでセンサ３８の検出部４２と関与させるために、ファン又は吸引デバイスのような空気処理システムを含めることができる。他の形態において、デバイス２０は、開口４０に加えて、１つ又はそれ以上の開口を含んでいてもよい。この場合、それぞれの更なる開口は、媒体輸送生化学物質１４４を案内して内部に配置される検出部４２と接触させるように構成される。例えば、デバイス２０がエアダクト排気口２１又はその近傍或いはエアダクトそれら自体の内部に配置される場合、開口は、デバイス２０の周囲で移動する気流を導いて検出部４２と接触させるように構成されてもよい。
【００１９】
生化学物質１４４に反応して、センサ３８は、信号経路４６に沿ってコントローラ４８へと伝えられる対応するセンサ信号を生成する。コントローラ４８は、動作論理にしたがって動作して、ナンキンムシの存在及び／又は他の対象の昆虫タイプを表わす生化学反応の存在を信号が示すかどうかを決定する。コントローラ４８は、単一のユニットとして構成され或いは２つ又はそれ以上のユニット間で分配されてもよい１つ又はそれ以上の構成要素から成っている。そのような構成要素は、当業者によって想起されるように、半導体要素、電磁要素、光学要素、及び／又は、異なる要素の類であってもよい。コントローラ４８は、アナログ回路、デジタル回路、及び／又は、これらのタイプの両方の混合の組み合わせを含んでいてもよい。１つの形態において、コントローラ４８は、アルゴリズムを実行し且つプログラム命令によって規定されるその動作論理（ソフトウェア又はファームウェアなど）にしたがってデータを処理するプログラム可能な類のものである。これに代えて或いはこれに加えて、コントローラ４８における動作論理は、少なくとも一部がハードワイヤード論理又は他のハードウェアによって規定される。
【００２０】
コントローラ４８がセンサ信号を受けて処理した後、コントローラ出力信号が信号経路４５に沿ってインジケータ５２へ出力される。インジケータ５２は、一般に、ナンキンムシ生化学反応を示す生化学物質１４４の存在又は不存在を知らせるための出力を人間のオペレータに対して与えるように構成される。図２に示されるように、インジケータ５２は、視覚マーカ５４の形態を成す出力を含む。視覚マーカ５４は、光の１つ又はそれ以上の形態が可能であるが、とりわけ例えば発光ダイオード（ＬＥＤ）、蛍光、白熱光、及び／又は、ネオンタイプを成していてもよい。それぞれの形態において、生化学物質１４４の存在は、例えば、別個のｙｅｓ／ｎｏインジケータ、色変化、フラッシングシーケンス、又は、インジケータ状態の他の変化によって示されてもよい。別の形態において、インジケータ５２は、比色ストリップ又は聴覚／音響信号の形態で生化学物質１４４の存在を示す出力を供給してもよい。１つの形態において、インジケータ５２の出力が聴覚形態である場合、生化学物質１４４の存在は、幾つかの想定し得る例を挙げると、単一又は一連のビープ音、チャイム、リング、ホーン、及び、クリックうちの１つ又はそれ以上によって知らされてもよい。１つの実施では、より大きなナンキンムシ存在の検出に応じて、ナンキンムシの存在数を伴う表示を変える、例えばより強烈なカラー表示、音、及び／又は、より頻繁な聴覚表示を与えることにより、定量的な評価が与えられる。
【００２１】
図２に示されるように、検出装置３７は、必要に応じてコントローラ４８、センサ３８、及び／又は、インジケータ５２へ電力を送るように構成された電源５６を含んでいる。コントローラ４８への電源経路５８だけが図示されている。言うまでもなく、特定のタイプのセンサ３８及び／又はインジケータ５２が任意の必要とされる電力を必要に応じて経路４６及び／又は５８から引き出してもよく、また、更に他の実施形態では、そのような構成要素が、受動要素であり、任意のタイプの持続的な電源を必要としない。
【００２２】
図示のように、電源５６は、内部チャンバ３５内に位置されており、例えば１つ又はそれ以上の電気化学セル又はそのようなセルのバッテリの形態を成して設けられてもよい。別の実施形態において、電力は、電気ソケット、例えば図１に示される壁レセプタクル１９から外的に調達される。この場合、電源５６が少なくとも部分的にデバイス２０の外部にあるのが分かる。検出装置３７がＤＣ電源又はＡＣ電源と共に用いるために変更されてもよく、また、構成要素の変更が電源の１つ又はそれ以上の形態の利用可能性に依存してもよいことは言うまでもない。他の形態では、検出装置３７に対して電力を供給するため、再生可能外部電源、例えばデバイス２０のトップカバー３６上に配置される太陽電池が使用されてもよい。更に、他の実施形態では、センサ３８、コントローラ４８、及び、インジケータ５２のうちの１つ又はそれ以上がそれぞれそれ自体の電源を含むことが考えられる。センサ３８、コントローラ４８、インジケータ５２を含む検出装置３７の構成要素が選択的に相互接続されてもよい。例えば、１つの構成では、適切な形態で構成される対応する信号を用いる有線技術又は無線技術を使用して、検出装置３７の構成要素が相互に接続されてもよい。幾つかの実施が性質的に受け身であり、それにより、電源が必要とされなくてもよく、また、これに代えて或いはこれに加えて、コントローラが利用されなくてもよいことは言うまでもない。本出願の他のところで更に説明するように、１つ又はそれ以上のナンキンムシ固有の生化学品に対して感度が良い比色ストリップは、電源及びコントローラを欠くセンサ／インジケータデバイスの１つの非限定的な例を与える。
【００２３】
ナンキンムシが検出されると、オペレータは、駆除プロセス、例えばナンキンムシに対して有毒な１つ又はそれ以上のタイプの殺虫剤の塗布を行なうかどかを決定することができる。以下、そのようなタイプの殺虫剤について図３を参照して更に説明する。図３は、システム１０で用いるのに適し且つ昆虫群、例えばナンキンムシ群を検出すること、監視すること、防除すること、のうちの１つ又はそれ以上のために構成されたデバイス７０の概略部分断面図を示している。デバイス７０は、ハウジング部材７４と対向してオペレータハンドル７２を含んでいる。オペレータハンドル７２は、一般に、人間のオペレータの手で握ることができるように構成されており、オペレータ把持能力を高めるためにローレット切り７３を含んでもよい。図示しない別の形態において、オペレータハンドル７２は、ローレット切り７３に加えて或いは代えて１つ又はそれ以上の把持促進形体を含んでいてもよい。例えば、１つの形態では、オペレータハンドル７２に対してゴムコーティングが施されてもよく、一方、他の形態では、オペレータハンドル７２が１つ又はそれ以上の人間工学に基づくハンドグリップを含んでいてもよい。他の実施形態では、把持促進形体がハンドル７２に何ら無くてもよい。
【００２４】
ハウジング部材７４は、検出装置８１及び駆除装置１０９を収容して保護するように構成される内部チャンバ７８を共に形成する外壁７６及びトップカバー８０を含む。検出装置８１は、互いに接続されるセンサ８２、コントローラ９４、インジケータ１００、及び、電源１０４を含む。図示しない別の実施形態では、検出装置８１が図３に示されるものに加えて或いは代えて構成要素を含んでいてもよいと考えられる。更に、様々な実施形態では、検出装置８１の構成要素が図３に示される形態とは別の１つ又はそれ以上の形態で設けられてもよいことは言うまでもない。
【００２５】
センサ８２は、デバイス７０が使用されるべき領域の環境に対して検出部８６が外部から晒され得るように、開口８４で外壁７６を貫通して延びている。センサ３８と同様に、センサ８２は、一般に、ナンキンムシの存在を示す１つ又はそれ以上の生化学物質１４４を分析するように構成される。センサ８２を用いて行なわれる生化学検出メカニズムの幾つかの詳細な例については、図１〜３に概ね関連して更に以下で説明する。検出部８６は、内部チャンバ７８を越えて延びるように示されているが（少なくとも一部がチャンバの外部にある）、別の実施形態では、検出部８６がチャンバ７８内に完全に配置されてもよいことは言うまでもない。これらの実施形態では、前述したように、デバイス７０が生化学物質１４４を運ぶための１つ又はそれ以上の構造を含み、それにより、生化学物質の全て或いは一部が内部に配置された検出部８６と接触されてもよい。また、デバイス７０は、開口８４に加えて、１つ又はそれ以上の開口を含んでいてもよい。この場合、それぞれの更なる開口は、媒体輸送生化学物質１４４を案内して内部に配置される検出部８６と接触させるように構成される。
【００２６】
ナンキンムシ生化学反応を示す生化学物質１４４を検出すると、センサ８６は、対応するセンサ信号を信号経路９２を介してコントローラ９４へ送る。コントローラ９４は、コントローラ４８に関連して説明したような任意の数の態様で構成することができる。コントローラ９４がセンサ信号９０を受けて処理した後、コントローラ出力信号が信号経路９６に沿ってインジケータ１００へ送られる。インジケータ１００は、ナンキンムシ生化学反応を示す生化学物質１４４の存在をオペレータに知らせる出力信号を人間のオペレータに対して与えるように構成される。インジケータ１００は、ナンキンムシ生化学反応類似性及び１匹又はそれ以上のナンキンムシの存在の確率を人間のオペレータに知らせるための視覚マーカ１０２を含む。視覚マーカ１０２は、一般に、視覚マーカ５４に関して前述した態様と類似する態様で構成されて作用する。また、前述したように、インジケータ１００は、視覚マーカ１０２に加えた或いは代えた１つ又はそれ以上の形態でナンキンムシを示す生化学物質１４４の存在を人間のオペレータに知らせるための出力を与えてもよい。例えば、聴覚信号又は比色ストリップが利用されてもよい。インジケータ１００によって与えられる任意の出力信号が、インジケータ５２によって与えられてもよい出力信号に関して前述した任意の１つ又はそれ以上の特徴を含んでもよいことは言うまでもない。
【００２７】
コントローラ９４、検出装置８１、及び、駆除装置１０９のそれぞれに対して電力を供給する電源１０４が内部チャンバ７８に含められる。装置８１及び／又は１０９に対するそのような電力の供給は、コントローラ９４を介して及び／又は図示しない別個の電力伝送経路によってなされてもよい。更なる他の実施形態では、装置８１，１０９の構成要素の一部又は全てが性質的に受け身であり、それにより、持続的な電源を必要としない。電源１０４がＤＣバッテリの形態を成してもよく、あるいは、別の形態では、電源１０４が内部チャンバ７８内に位置されなくてもよい。１つのそのような選択肢において、電源１０４は、ＡＣ源、例えば図１の壁レセプタクル１９であってもよい。装置３７に関して前述したように、装置８１，１０９の構成要素が個別に給電されてもよく、また、１つ又はそれ以上の有線又は無線経路を介して装置８１，１０９を相互に接続できると考えられる。
【００２８】
検出装置８１がナンキンムシの１つ又はそれ以上の生化学物質１４４を知らせると、人間のオペレータは、デバイス７０を使用して、駆除装置１０９によって駆除を開始してもよい。駆除装置１０９はプッシュボタン１１０を含む。プッシュボタン１１０の押し下げに応じて、防除モジュール１１２は、解放信号を信号経路１１６によって駆除モジュール１１８へと送る。仮想線で示されるように、駆除モジュール１１８は、アプリケータチップ１２２と連通する内部リザーバ１２０を含む。アプリケータチップ１２２に隣接する閉位置へと閉塞部材１２３が付勢される。リザーバ１２０の内容物は、ナンキンムシに有毒な殺虫剤１２４を含む。信号経路１１６からの解放信号に応じて、部材１２３が開放し、流体の形態、例えばエアロゾル、ガス、液体、又は、粉末で殺虫剤１２４を解放する。押し下げられたボタン１１０をオペレータが解放すると、解放信号が状態を変え、それに応じて、部材１２３がその閉状態へと戻り、殺虫剤１２４の解放が止まる。
【００２９】
図示しない別の実施形態において、駆除モジュール１１８は、コントローラ９４に対して直接に接続されてもよく、また、人間のオペレータによる行為を何ら伴うことなく殺虫剤１２４を自動的に解放するために生化学物質１４４の存在に対して直接に反応してもよい。１つのそのような形態において、殺虫剤１２４は、生化学物質１４４が検出される領域に限定して制御解放される。他の実施形態では、駆除システム１０９が性質的に機械的であり、それにより、オペレータ解放ボタン１１０が押し下げられると、殺虫剤１２４の解放を可能にするために部材１２３が開放される。この形態において、駆除システム１０９は、検出装置８１又は電源１０４に対する接続を何ら含まなくてもよい。殺虫剤１２４は、その非限定的な例が本明細書中で以下に与えられるが、当業者であれば分かるようにナンキンムシ群を駆除するのに有効な１つ又はそれ以上の形態を成してもよい。殺虫剤は、ナンキンムシによって摂取されるようになっている形態及び／又はナンキンムシの体との外的接触によって駆除できる十分な露出を行なうようになっている形態で供給することができる。更なる他の形態において、殺虫剤は、ナンキンムシの１つ又はそれ以上の呼吸孔を通じて吸入され得る蒸気形態で供給されてもよい。
【００３０】
ここで、一般に図１〜３を参照すると、デバイス２０，７０は、特定のポリマー、木材、金属、又は、これらの任意の混合物を含む任意の数の適した材料を備えてもよい。また、更なる実施形態では、デバイス２０のうちの１つ又はそれ以上がデバイス７０のうちの１つ又はそれ以上と共に使用されてもよい。言うまでもなく、デバイス２０，７０のそれぞれは、図２及び図３のそれぞれに示されるような形態に限定されない。例えば、デバイス２０が手持ち操作できるように構成されてもよく、一方、デバイス７０が半永久配置のために構成されてもよい。更なる別の形態において、デバイス２０，７０は、例えば部屋１５を走査するように構成された車輪付きデバイス又はロボットデバイスであってもよい。
【００３１】
インジケータ５２，１００は、生化学物質１４４の肯定的又は否定的な表示に加えて、情報を与えてもよい。１つの形態では、センサ３８，８２によって使用される検体の相対濃度測定値又は定量的測定値がインジケータ５２，１００によって与えられてもよい。そのような情報が与えられる場合、センサ３８，８２は、関連情報が表示されるオペレータ観察スクリーンを含んでいてもよい。これらの形態において、コントローラ４８，９４は、予めプログラムされた制御モデルをインジケータ５２，１００に対して供給してもよく、この制御モデルに基づいて、人間のオペレータは、１匹又はそれ以上のナンキンムシが存在するかどうか或いは更なる検出が必要かどうかを決定するために検出された生化学物質１４４のレベルを比較してもよい。また、言うまでもなく、インジケータ５２，１００によって与えられる出力は、センサ３８，８６によって分析される生化学物質１４４の特性に関連して変化してもよい。例えば、生化学物質１４４の異なる濃度レベルに応じて、インジケータ５２，１００は、生化学物質１４４の濃度レベルに対応する輝度のレベルを含む視覚マーカ５４，１０２を与えてもよい。これに加えて或いはこれに代えて、生化学物質１４４の濃度レベルに対応する音量レベル及び／又は出力シーケンスを含む聴覚／音響信号が与えられてもよい。
【００３２】
更なる実施形態において、情報は、有線又は無線通信経路により、デバイス２０，７０から、更なるデータ収集及び分析のための遠隔場所へと中継される。この遠隔場所は、ホテル、介護施設、観光船、列車、寮、バラック、病院などの指定された部屋内のコンピュータネットワークによりデバイス２０及び／又は７０に結合されるコンピュータであってもよく、及び／又は、害虫防除サービスプロバイダビジネス場所などのような構造体に対して離れていてもよい。
【００３３】
前述したように、センサ３８，８２は、一般に、少なくとも１つの生化学物質１４４をそれがナンキンムシ生化学反応を示すかどうかを決定するために分析するように構成される。空気処理機構に加え、生化学分析のためのサンプルを集めるために、蒸留水などの湿潤剤を用いて或いは用いずに、モップ、雑巾、ティッシュペーパ、又は、小さなペーパータオルなどによってセンサ３８，８２への検体の輸送を達成することもできる。これに代えて或いはこれに加えて、湿潤剤を用いて或いは用いずに、塵埃／微粒子収集器が利用される。更なるアプローチでは、液体が、空気に対して及び／又は１つ又はそれ以上の表面に対してエアロゾルの形態で加えられるとともに、センサ分析のために収集される。これらの任意の輸送機構を手動で及び／又は自動で実行することができる。１つの特定の変形では、ナンキンムシを示す１つ又はそれ以上の生化学物質と反応するようになっている薬剤を液体又はエアロゾルの形態で含むデバイスを用いてサンプルが収集される。センサ３８，８２は、対象昆虫タイプ、例えばナンキンムシを示す生化学物質１４４又は一群のそのような物質１４４を検出するために、任意の化学反応、抗原／抗体反応、ガルバニック、電気化学、蛍光、分光、及び／又は、クロマトグラフィ技術などを含むことができる。これらの実施の特定の具体的な例を以下の実施例で更に説明する。
【００３４】
生化学物質１４４は、ナンキンムシ生化学反応にはっきりと関連付けられる任意の化合物又は化合物の組み合わせであってもよいと考えられる。１つの形態において、生化学物質１４４は、ナンキンムシ唾液、外骨格、失われた触覚、及び、他の身体部分、フェロモン、ホルモン、カイロモン、蛋白質、糞便を含む分泌液、他の老廃物又は副生成物、及び／又は、精液、及び、卵、卵残留物のうちの１つ又はそれ以上又は任意の組み合わせであってもよい。挙げられた１つ又はそれ以上のそれぞれの生化学物質１４４及びナンキンムシ生化学反応を示す他の生化学物質を検出するために、様々な実施形態で装置３７，８１が変更されてもよいと考えられる。
【００３５】
分析される特定の生化学物質１４４が変わってもよい。分析されることが求められる生化学物質がナンキンムシ外骨格である１つの形態では、アセチルグルコサミン（Ｎ−アセチル−Ｄ−グルコース−２−アミン）を備えるキチンがセンサ３８，８２によって検出されてもよい。他の形態では、ナンキンムシ唾液がセンサ３８，８２によって分析される場合、抗凝血剤又は麻酔剤が検出されようとする物質であってもよい。唾液分析の１つの特定の実施では、１つ又はそれ以上の蛋白質、例えばニトロフォリン、アピラーゼ、又は、蛋白質を形成するペプチドが対象の生化学物質１４４であってもよい。センサ３８，８２がナンキンムシ糞便を分析する場合には、哺乳類の赤血球、白血球、血小板、グルコース、鉄、及び、血漿、すなわち、アルブミン、血栓形成因子、免疫グロブリン、ホルモン、蛋白質、及び／又は、電解質を含むがこれらに限定されない血漿のうちの任意の１つ又はそれ以上が生化学物質１４４として検出されてもよい。物質をそれがナンキンムシ精液であるかどうかを決定するために分析する際、センサ３８，８２は、アラニン及びグルタミン酸及び／又はナンキンムシ種に固有のＤＮＡ又はＲＮＡの複合存在に関して検出してもよい。他の形態において、センサ３８，８２は、ナンキンムシのホルモン、カイロモン、及び／又は、フェロモンの存在を任意の物質状態（固体、液体、又は、気体）で検出してもよい。１つのそのような実施において、センサ３８，８２は、トランス−オクト−２−エン−１−オル又はトランス−ヘクス−２−エン−１−オルのうちの１つ又はそれ以上に関して検出するように構成されてもよい。言うまでもなく、センサ３８，８２は、ナンキンムシ生化学反応を示す生化学物質１４４の検出に関する更に信頼できる結果を得るために化合物の任意の数の組み合わせを検出するように構成されていてもよい。
【００３６】
センサ３８，８２は、生化学物質１４４がナンキンムシ生化学反応を示すかどうかを決定するための生化学物質１４４の化学的分析を容易にするように構成される１つ又はそれ以上の特徴を含んでいてもよい。１つの形態において、センサ３８，８２は、生化学物質１４４に対するエアゾールスプレー及び／又は液体としての薬剤の塗布を含む。そのような薬剤は、センサ３８，８２を用いた検出を容易にする対象の生化学物質１４４（単数又は複数）との所望の化学反応を引き起こすように選択される。１つの形態において、薬剤は、ナンキンムシに固有の１つ又はそれ以上の生化学物質間で吸熱反応又は発熱反応を引き起こす。この形態において、センサ３８，８２は、反応に起因し得る温度の差を記録するように構成される温度計を含む。選択された大きさの温度変化の検出時、装置３７，８１は、生化学物質１４４の存在の肯定的な表示を与える。このアプローチの変形において、装置３７，８１は、生化学物質１４４の増大したレベルに対応する少なくとも温度が、人間のオペレータが検索し続けるかどうかを決定できる閾値を下回って存在することを示す。他の形態において、エアロゾルは、生化学物質１４４との電気化学反応を与えるように構成されてもよい。このとき、センサ３８，８２は、生化学物質１４４がナンキンムシを示すかどうかを装置３７，８１が決定できるように、電気化学反応と適切に関連付けられる電流／電圧又は他の電気特性を測定するように構成される計器を含んでいてもよい。更に他の形態において、反応は、センサ３８及び／又は８２を用いて検出できる対象の生化学物質（単数又は複数）を示すｐＨレベル及び／又は対象の生化学物質を示す酸素濃度をもたらす。
【００３７】
センサ３８，８２は、１つ又はそれ以上の想定し得る生化学物質１４４を検出するように構成される分子インプリントポリマーを更に含んでいてもよい。分子インプリントポリマーは、例えば先に挙げられたナンキンムシを示す化合物のうちの１つのような対象の分子のために特に変更された複数の受け入れ部位を含む。各受け入れ部位は、一般に、対象の分子に固有の形状、サイズ、及び、機能性を含む。１つの非限定的な形態において、分子インプリント分子は、これを通過する気流からトランス−オクト−２−エン−１−オル又はトランス−ヘクス−２−エン−１−オルのうちの１つ又はそれ以上を抽出する受け入れ部位を含んでもよい。トランス−オクト−２−エン−１−オル又はトランス−ヘクス−２−エン−１−オルのうちの１つ又はそれ以上が十分な量だけ抽出されてセンサ３８，８２の分子インプリントポリマー部分に結合されると、ナンキンムシの存在を示す対応する信号がコントローラ４８，９４及び／又はインジケータ５０，９２へ送られてもよい。
【００３８】
アセチルグルコサミン（Ｎ−アセチル−Ｄ−グルコース−２−アミン）を備えるキチンを含むナンキンムシ外骨格の存在をデバイス２０，７０が検出する１つの形態では、センサ３８，８２がリゾチームの形態で酵素を与える。当業者であれば分かるように、リゾチームは、Ｎ−アセチル−Ｄ−グルコース−２−アミン結合を加水分解して、キチン構造を破壊する。センサ３８，８２は、加水分解反応の結果としての１つ又はそれ以上の分子の濃度を検出するように１つ又はそれ以上の形態で構成されてもよく、また、装置３７，８１は、反応に起因する濃度変化又はその欠如に基づいて、検査されたサンプルがナンキンムシ生化学反応を示す生化学物質１４４でありそうかどうかを決定して知らせてもよい。
【００３９】
センサ３８，８２は、別の実施形態では、雑巾検査の１つ又はそれ以上の形態を利用してもよい。この形態では、分析にとって望ましい表面を拭き取るために１つ又はそれ以上の雑巾が使用され、その後、前記雑巾がセンサ３８，８２の検査分析器に配置されてもよい。１つの形態では、ナンキンムシ唾液中の対象の抗体の検出を行なうために、酵素免疫測定法（ＥＬＩＳＡ）が行なわれてもよい。検査は、ナンキンムシ唾液中に存在するニトロフォリン抗原に固有のＩｇＥ抗体を利用してもよい。当業者であれば分かるように、酵素に結合されてニトロフォリン−ＩｇＥ抗体複合体と反応する他の抗体が与えられてもよい。第２の抗体は、ニトロフォリン−ＩｇＥ抗体複合体の存在を示す発色信号又は蛍光信号を与えてもよい。その結果、装置３７，８１がナンキンムシ生化学反応を示す生化学物質１４４の存在を知らせることができるように、対応する信号がコントローラ４８，９４へ送られてもよい。
【００４０】
言うまでもなく、センサ３８，８２は、ナンキンムシを示す生化学物質１４４の存在を決定するために１つ又はそれ以上の生化学反応又は分析技術を利用してもよい。これらの生化学反応及び分析技術としては、幾つか例を挙げると、電気化学反応；抗原−抗体反応；吸熱反応；発熱反応；検査分析；ＳＤＳ−Ｐａｇｅ；グルコース反応モニタ；Ｋａｓｔｌｅ−Ｍｅｙｅｒ分析を挙げることができるが、これらに限定されない。これに加えて或いはこれに代えて、例えば質量分析法及び液体クロマトグラフィを含む分光分析及び／又はクロマトグラフィに基づく検出を利用できる。更に、ナンキンムシ生化学反応に固有の更なる生化学物質１４４が対象の物質になると、それに応じて装置３７，８１が適切な検出技術を行なうように変更されてもよいと考えられる。また、各装置２０，７０は、検出の表面積を拡大し或いは対象の生化学物質の数を増大させるために、センサ３８，８２の他に、１つ又はそれ以上のセンサを含んでいてもよい。更に、対象の生化学物質１４４が変わると、センサ信号を適切に処理するためにコントローラ４８，９４も変わってもよいことは言うまでもない。例えば、変形形態において、コントローラ４８，９４は、ナンキンムシ生化学反応を示す様々な対象生化学物質１４４の決定が評価されるべき１つ又はそれ以上の制御レベルをもってプログラムされてもよい。
【００４１】
生化学物質１４４を検出する１つの態様において、デバイス２０，７０は、特に、例えば１つ又はそれ以上のペプチド又はそのペプチド断片を検出することによって蛋白質ニトロフォリンを識別するように構成される。この形態において、センサ３８，８２は、ナンキンムシの侵入がニトロフォリンに対する想定し得る露出を促す可能性が高い部屋内の表面と接触されてもよい。これに加えて或いはこれに代えて、前記表面上の任意の物質の典型的なサンプルがユーザによって得られた後にセンサ３８，８２に晒されてもよい。この後者の態様では、サンプルがセンサ３８，８２に晒される前に更に取り扱われ或いは処理されてもよいことは言うまでもない。これには、例えば、センサ３８，８２による分析を容易にするために、必要に応じてサンプルが１つ又はそれ以上の溶媒又は他のキャリア薬剤と混合されることが挙げられる。センサ３８，８２は、ニトロフォリンの存在を決定するために、液体クロマトグラフィ及び質量分析法及び抗原−抗体反応のうちの１つ又はそれ以上を含む前述した分析方法のうちの任意の１つ又はそれ以上を利用してもよい。ニトロフォリンの存在が肯定的に示される場合、デバイス２０，７０はそのようなことをユーザに対して自動的に知らせてもよい。他の形態において、センサ３８，８２は、ニトロフォリンの濃度を決定するとともに、その濃度を、ニトロフォリンの存在をユーザに知らせる前に、デバイス２０，７０に予めプログラムされたナンキンムシの存在を示す濃度レベルと比較する。ニトロフォリンの必要量の肯定的な識別時、ユーザは、殺虫剤を部屋に選択的に塗布してもよく、あるいは、適切な措置を講じてもよい。
【００４２】
生化学検出技術に代わる或いは加える手段として、他のナンキンムシ検出機構を利用できる。例えば、ナンキンムシの重さ及び／又はナンキンムシによって及ぼされる機械的な力に反応するセンサが利用されてもよい。他の事例では、電磁放射線を使用して、ナンキンムシの存在を示すものとして検出され且つ識別され得る態様で放射線を戻し、遮断し、及び／又は、分散させることによりナンキンムシを検出する。このアプローチの特定の実施では、デバイス２０及び／又は７０内のナンキンムシが１つの経路に沿って方向付けられ、それにより、ナンキンムシがそのような経路に沿って移動するときに、前記経路を横切って方向付けられる光ビームが切断／遮断される。結果として、光ビームに応答する光検出器からの出力信号が状態を変え、それにより、ナンキンムシの存在が示される。同様に、ナンキンムシの存在を検出するために音響エネルギー、例えば超音波が使用されてもよい。これに加えて或いはこれに代えて、ナンキンムシの存在を検出するために、足根骨認識又はスペクトル分析（紫外線技術及び赤外線技術を含むが、これらに限定されない）が使用されてもよい。
【００４３】
他の実施形態では、デバイス２０，７０の様々な特徴を組み合わせることができ或いは省くことができる。１つの構成において、デバイス２０又は７０は、検出面がセンサ３２，８２によって規定されるプローブの形態で設けられる。例えば、検出面には、生化学反応を示す昆虫、又は、ナンキンムシ検出に供じられるサンプルを保持する液体に晒される検出物質が含浸されてもよい。昆虫内のそのような生化学反応の存在（肯定的な結果）に応じて、検出面は、昆虫の存在の見込みを示すために色を変える。したがって、この表面は、この構成においてはインジケータとしての機能も果たし、それにより、別個のインジケータが不要になる。１つの形態において、このプローブは、人間の妊娠試験と似ていてもよい。更なる他の構成において、コントローラ機能、センサ機能、及び／又は、インジケータ機能は、それらが単なる論理的な意味で別個の特徴として表わされるように互いに不可欠であってもよいことは言うまでもない。更に他の構成では、コントローラがデバイス２０又は７０に存在しなくてもよい。この場合、センサ３８，８２が信号をインジケータ又は遠隔データ収集／分析サイトへ直接に供給する。
【００４４】
図４には、システム１０を使用するための１つの手続き２００が示されている。段階２１０において、手続き２００は、図２に示されるように望ましい場所に対してデバイス２０，７０を取り付けることにより或いは図３に示されるように手持ち式のデバイスを使用することによって開始される。場合によって生化学物質１４４の１つ又はそれ以上の対象形態を含んでもよい１つ又はそれ以上の物質のサンプルが、デバイス２０，７０によって分析されるために段階２２０において得られる。段階２３０において、センサ３８，８２は、サンプルをそれがナンキンムシを示す生化学物質であるかどうかを決定するために分析する。センサ３８，８２は分析結果をコントローラ４８，９４へ送り、コントローラ４８，９４は出力信号をインジケータ５２，１００へ送る。段階２４０では、生化学物質１４４が存在するかどうかを決定するために、インジケータ５２，１００がチェックされる。生化学物質１４４が存在する場合、人間のオペレータは、段階２４５において、デバイス７０の駆除システム１０９あるいは当業者であれば分かるような別の駆除方法を使用して駆除してもよい。インジケータ５２，１００が段階２４０において生化学物質１４４が存在しないことを示した後、及び／又は、段階２４５における駆除後である段階２５０では、人間のオペレータが手続き２００を継続するかどうかを決定しなければならない。例えば領域内の他の場所でチェックが成される場合のように手続き２００が継続される場合には、矢印２５５によって示されるように、手続き２００が戻って再開する。手続き２００が継続されない場合には、段階２６０において手続きが終了する。手続き２００は、ナンキンムシ群全体が除去され及び／又は検出されるまで、又は、ナンキンムシの存在の表示を何ら伴うことなく十分な期間が経過したことを人間のオペレータが確信するまで連続的に繰り返されてもよい。
【００４５】
別の手続きでは、デバイス２０及び／又は７０を用いた検出に供じられる場所へとナンキンムシを誘い出すために誘引物質が使用されてもよい。そのような誘引物質は、デバイス２０又は７０内に含ませることができ、及び／又は、外部から／別々に利用することができる。これらの誘引物質は、ナンキンムシによる摂取のために殺虫剤と組み合わされる餌中に含ませることができる。誘引物質としては、幾つか例を挙げると、１つ又はそれ以上の自然に発生する或いは人工のナンキンムシ誘引化合物（１つの形態では、ナンキンムシの生存に不可欠な１つ又はそれ以上の生物学的な或いは物理的な要件を真似るように構成されてもよく、一方、他の形態では、生存に対する相関関係を伴うことなくナンキンムシを引き寄せることで知られていてもよい）を挙げることができる。誘引物質の特性及び／又は誘引物質と餌及び／又は殺虫剤との組み合わせに関する更なる詳細については、誘引物質源３４６及び餌３６２に関連する以下の明細書本文中で与えられる。誘引物質が使用される場合、誘引物質は、センサ３２，８２を用いたナンキンムシの存在についての許容できない閾値を超える誤った肯定的表示の数を増大させないように選択されなければならない。そのような状況は、特に、ナンキンムシ生化学反応を真似る誘引物質を用いると生じる場合がある。
【００４６】
ここで、図５を参照すると、部屋１５内でのナンキンムシの侵入に対処するのに適した第２のタイプのシステム３１０の概略図が示されている。システム３１０は少なくとも１つのデバイス３２０を含んでおり、デバイス３２０は、図示のように、部屋１５の電気壁レセプタクル１９と係合されるとともに、ナンキンムシ群を検出すること、監視すること、防除すること、のうちの１つ又はそれ以上に適していてもよい。システム３１０で使用されるデバイス３２０の総数は、侵入問題及び／又は効果的な除去が望まれる期間に関連して変動してもよい。壁レセプタクル１９及びデバイス３２０がベッドシステム４０の下側に位置されているが、１つ又はそれ以上の形態では、デバイス３２０が部屋１５の全体にわたって選択的に配置されてもよいことは言うまでもない。例えば、１つの形態において、デバイス３２０は、壁レセプタクル１９に対して選択的に配置される壁レセプタクルと係合されてもよい。他の形態において、デバイス３２０は、例えばベッドシステム４０上におけるデバイスの配置を容易にするために電源コードを利用してもよい。また、言うまでもなく、適切な電源に応じて、デバイス３２０は、デバイス２０に関連して前述したように、一般に部屋１５内の様々な場所に配置されてもよい。
【００４７】
デバイス３２０が図６の概略部分断面図に更に詳しく示されている。この図においては、幾つかの代表的なナンキンムシＢＢがデバイス３２０内及びデバイス３２０の周囲に示されている。デバイス３２０は、一般に、内部チャンバ３２３，３２８ａを形成する外壁３２２及び外側カバー３２５を含むハウジング部材３２１を含んでいる。言うまでもなく、チャンバ３２３は、一般に、開口３２６を通じてチャンバ３２３内に入る場合がある１匹又はそれ以上のナンキンムシＢＢのためのナンキンムシ隠れ場所を与えるように構成される。図示のように、隔壁３２８がチャンバ３２３からチャンバ３２８ａを分離し、この場合、チャンバ３２８ａは、ナンキンムシＢＢがアクセスできる開口３２６及びナンキンムシＢＢがアクセスできない開口３２７を通じて１つ又はそれ以上のナンキンムシ誘引物質がチャンバ３２８ａから解放されるためのチャンネルを設けるように構成される。開口３２７は、方向矢印Ａによって示されるように、デバイス３２０が位置される領域の外部環境へと向けられる。開口３２７は、一般に、誘引物質をチャンバ３２８ａから解放できるように構成されているが、オペレーティングシステム３３８の構成要素に支障を来たさないようにナンキンムシがチャンバ３２８ａ内に入ることを妨げる。隔壁３２８は１つ又はそれ以上の透過性の部分又は開口３２８ｂを形成しており、この開口を通じて、誘引物質又は熱がチャンバ３２８ａからチャンバ３２３内へと分散されて開口３２６から出て、それにより、ナンキンムシＢＢをチャンバ３２３内へと引き寄せてもよい。しかしながら、開口３２８ｂは、ナンキンムシＢＢがチャンバ３２３からチャンバ３２８内へと通過するのを防止するように構成される。更に、チャンバ３２３が開口３２６の他に１つ又はそれ以上の開口を含んでいてもよく、また、光がチャンバ３２３内に入るのを妨げる１つ又はそれ以上の遮光デバイスを開口３２６及び任意の更なる開口が含んでいてもよいことは言うまでもない。
【００４８】
ハウジング部材３２１は、一般に硬質であり、略Ｌ字形状の外形を有している。この外形の短い方の脚部は、端壁３２９を含む片持ち梁３２４として構成されており、端壁３２９を貫通して電気プラグ３３０が延びている。プラグ３３０は第１の突出部３３１と第２の突出部３３２とを含んでおり、各突出部は、電気壁レセプタクル１９の対応するソケットと係合するように構成される。プラグ３３０は、典型的に、レセプタクル１９内で突出部３３１，３３２に対して押し付くように付勢されるリーフスプリングによって典型的に助けられる摩擦嵌合接続を用いてレセプタクル１９に結合される。これに関して、それぞれの各突出部３３１，３３２の端子端部３３１ａ，３３２ａは、端壁３２９がレセプタクル１９の外側部分と接触するまでレセプタクル１９のソケット内に挿入することができる。十分に挿入されると、上端部３３１ｂ，３３２ｂが壁レセプタクル１９のソケットの対応する面と係合し、それにより、デバイス３２０のための支持がなされる。この構成では、方向矢印Ｂによって示されるようにデバイス３２０の重量がハウジング部材３２１を下方へと押し下げるため、上端部３３１ｂ，３３２ｂが壁レセプタクル１９のソケットの対応する構造体と十分に接触したままとなり、それにより、デバイス３２０がその図示された垂直位置から移動することが防止される。したがって、デバイス３２０は、床よりも上側で吊るすことができるようにレセプタクル１９に対して片持ち接続されるように構成される。さもなければ、図示のように、デバイス３２０は、プラグ３３０／レセプタクル１９係合を除いて支持構造を必要とすることなく、独立して立っている。言うまでもなく、他の実施形態では、Ｌ形状ハウジング３２１の長い方の脚部は、片持ち接続に対して、レセプタクル１９に関節結合するようになっていてもよく、及び／又は、ハウジング３２１が異なって形成されてもよい。
【００４９】
デバイス３２０は、ナンキンムシ群を防除するように構成されるオペレーティングシステム３３８を更に含んでいる。システム３３８は、チャンバ３２３及びチャンバ３２８ａの両方に配置される様々な構成要素を含む。図示の形態において、システム３３８は、コントローラ３４０と、ファンモジュール３４２と、熱源３４４と、誘引物質源３４６と、センサ３４８と、駆除モジュール３５０とを含む。プラグ３３０は、システム３３８に対して電力を供給するために、例えば半田付け、リベット、機械的な端子などのような任意の標準的な態様によってコントローラ３４０に対して接続されてもよい。典型的に、ＡＣ（交流）源からの電力は、電子デバイスに給電するためにＤＣ（直流）電力へと変換され、また、そのような電力変換回路は、必要に応じてデバイス３２０内に含められるが、明確にするために図示されていない。更なる他の実施形態において、システム３３８の構成要素の一部又は全ては、性質的が受け身であり、そのため、持続的な電源を必要としない。
【００５０】
コントローラ３４０は、単一のユニットとして構成され或いは２つ又はそれ以上のユニット間で分配されてもよい１つ又はそれ以上の構成要素から成っている。そのような構成要素は、当業者によって想起されるように、半導体要素、電磁要素、光学要素、及び／又は、異なる要素の類であってもよい。コントローラ３４０は、アナログ回路、デジタル回路、及び／又は、これらのタイプの両方の混合の組み合わせを含んでいてもよい。１つの形態において、コントローラ３４０は、プログラム命令によって規定されるその動作論理（ソフトウェア又はファームウェアなど）にしたがってアルゴリズムを実行し且つデータを処理するプログラム可能な類のものである。これに代えて或いはこれに加えて、コントローラ３４０における動作論理は、少なくとも一部がハードワイヤード論理又は他のハードウェアによって規定される。コントローラ３４０は、コントローラ出力信号を、信号経路３４１，３４３，３４５に沿って、それぞれの対応するファンモジュール３４２、熱源３４４、及び、誘引物質源３４６へと送る。
【００５１】
ファンモジュール３４２は、信号経路３４１を介して送られるコントローラ出力信号に応じて動作してもよく、また、当業者であれば分かるように、気流を形成するように構成されるファンブレードアセンブリ及び１つ又はそれ以上のモータを含んでいてもよい。ファンモジュール３４２は、任意の標準的な形態を成していてもよく、また、前述した構成要素に加えて或いは代えて１つ又はそれ以上の構成要素を含んでいてもよいことは言うまでもない。ファンモジュール３４２によって形成される気流は、一般に、チャンバ３２８ａ内で移動して、いずれも一般に図５〜７を参照して更に詳しく説明する熱源３４４及び誘引物質源３４６を通り過ぎ、開口３２７，３２８ｂ，３２６を通じてデバイス３２０から出る。１つの形態において、気流は、一般に図５〜７を参照して更に詳しく説明するように、熱源３４４からの熱又は誘引物質源３４６からの誘引物質のうちの１つ又はそれ以上を、デバイス３２０が配置される外部環境へと運び、それにより、１つ又はそれ以上の昆虫、例えばナンキンムシをデバイス３２０へと引き付けてもよい。また、異なる実施形態では、熱及び／又は誘引物質の更に強い或いは更に弱い拡散を形成するために、ファンモジュール３４２によって形成される気流の力が変えられてもよいと考えられる。１つの形態において、気流の力は、熱の温度及び／又は誘引物質の誘引効力に依存してもよい。例えば他の形態においては、気流の力は、そこから１匹又はそれ以上の昆虫を引き付けたいと人間のオペレータが望む領域によって決まってもよい。
【００５２】
センサ３４８は、チャンバ３２３内に位置されており、一般にチャンバ３２３内の１匹又はそれ以上のナンキンムシＢＢの存在を検出するように構成される。言うまでもなく、別の形態において、センサ３４８は、デバイス３２０に引き付けられる１匹又はそれ以上のナンキンムシＢＢを検出するために、デバイス３２０の外側のチャンバ３２３の外部に配置されていてもよい。センサ３４８としては、可能な幾つかの例を挙げると、動作検出器、熱検出器、光検出器、重量検出器、及び、生化学検出器のうちの任意の１つ又はそれ以上を挙げることができる。図示しない実施形態では、センサ３４８が磁気センサを使用する閉回路検出装置を含んでいてもよいと考えられる。この形態において、開口３２６は、ナンキンムシの重量に応じて開放されるときにナンキンムシの存在を検出するために磁気センサを位置ずれさせて回路を開く付勢可能なドアを含んでいてもよい。他の形態において、センサ３４８は、足根骨確認又はスペクトル確認によってナンキンムシを検出するように構成されてもよい。これに加えて或いはこれに代えて、センサ３４８は、前述したようにナンキンムシを示す１つ又はそれ以上の生化学物質を検出するために生化学検出器を含んでいてもよい。検出機構に代わるもの或いは加えるものとして、デバイス２０，７０に関して前述したように、電磁放射線を使用して、ナンキンムシの存在を示すものとして検出され且つ識別され得る態様で放射線を戻し、遮断し、及び／又は、分散させることによりナンキンムシを検出する。
【００５３】
ナンキンムシの存在の検出に応答して、センサ３４８は、信号経路３４７に沿ってコントローラ３４０へと伝えられる対応するセンサ信号を生成する。コントローラ３４０は、センサ信号を処理した後、信号経路３４９に沿って駆除モジュール３５０へと送られる更なるコントローラ出力解放信号を生成してもよい。仮想線で示されるように、駆除モジュール３５０は、アプリケータチップ３５４と連通する内部リザーバ３５２を含む。アプリケータチップ３５４に隣接する閉位置へと閉塞部材３５８が付勢される。リザーバ３５２の内容物は、ナンキンムシに有毒な殺虫剤３５６を含む。信号経路３４９からの解放信号に応じて、閉塞部材３５８が開放して、流体の形態、例えばエアロゾル、ガス、液体、又は、粉末で殺虫剤３５６がチャンバ３２３内へと解放され、それにより、前記チャンバ内に存在する１匹又はそれ以上のナンキンムシＢＢが駆除される。閉塞部材３５８は、コントローラ３４０が解放信号を信号経路３４９に沿って駆除モジュール３５０へと送るのを止めるまで、殺虫剤３５６をチャンバ３２３内へと解放するために開放したままであってもよい。他の形態において、駆除モジュール３５０は、センサ３４８に対して直接に接続され、１匹又はそれ以上のナンキンムシを検出するセンサ３４８に応じて動作してもよい。この形態において、駆除モジュール３５０及びセンサ３４８は、ハードワイヤード電気接続又は無線電気接続のうちの１つ又はそれ以上によって、あるいは、機械的な接続によって接続されてもよい。駆除モジュール３５０を伴って或いは伴うことなくナンキンムシに有毒な殺虫剤がチャンバ３２３内に存在していてもよい。１つの形態において、殺虫剤は、摂取用に構成された餌の形態を成す誘引物質と組み合わせて存在する。また、チャンバ３２３は、１つ又はそれ以上の更なる誘引物質源（図示せず）を含んでいてもよい。言うまでもなく、殺虫剤３５６は、以下の本明細書中で開示される種類のもののうちの１つ又はそれ以上を含んでいてもよく、一般に、ナンキンムシの外皮に対する露出接触によって、呼吸孔を通じた吸引によって、及び／又は、摂取によってナンキンムシに対して致死効果を与えるように構成される。
【００５４】
図示しない実施形態において、システム３３８は、１匹又はそれ以上のナンキンムシの存在の肯定的又は否定的な表示を人間のオペレータに対して知らせるように構成されるインジケータを更に含んでいてもよい。インジケータは、コントローラ３４０と結合されてもよく、また、センサ信号に応答して生成されるコントローラ出力信号に応じて動作してもよい。１つの形態において、インジケータは、想定し得る中で特に、光、発光ダイオード（ＬＥＤ）、蛍光、白熱光、及び／又は、ネオンの形態を成す１つ又はそれ以上の視覚マーカを含む。それぞれの形態において、ナンキンムシの存在は、例えば、別個のｙｅｓ／ｎｏインジケータ、色変化、フラッシングシーケンス、又は、インジケータ状態の他の変化によって示されてもよい。別の形態において、インジケータは、比色ストリップ又は聴覚／音響信号の形態で１つ又はそれ以上のナンキンムシの存在を示す出力を供給してもよい。インジケータを用いる実施形態において、そのようなインジケータは、センサ３４８からの肯定的又は否定的な表示、例えば濃度測定値又は定量的測定値以外の情報を与えるように構成されてもよい。
【００５５】
言うまでもなく、デバイス３２０は、図６に示されるようなシステム３３８の構成要素のうちの１つ又はそれ以上を含まなくてもよい。例えば、図７は、ナンキンムシ群を検出すること、監視すること、及び、防除することのうちの１つ又はそれ以上に適するデバイス３６０として別の実施形態を示している。この場合、同様の参照符号は前述した同様の特徴を示している。デバイス３６０は、ファンモジュール又はコントローラを伴うことなくチャンバ３２８ａ内に誘引物質源３４６を含んでいる。この形態において、プラグ３３０は、図示のように、任意のＡＤ／ＤＣ変換器又は適した動作を実施するのに望ましい他の構成要素を含んでもよい電気回路３６１によって誘引物質源３４６に対して接続される。以下で更に詳しく説明される誘引物質源３４６は、電力がプラグ３３０から供給されて誘引物質源を通じて流れるときに誘引物質源から解放可能な１つ又はそれ以上の誘引物質を含んでいてもよい。
【００５６】
デバイス３６０において、チャンバ３２８ａは、誘引物質を誘引物質源３４６から開口３２８ｂを介してチャンバ４２３へと通過させることができるようにするため、デバイス３６０のチャンバ４２３と連通している。チャンバ４２３は、開口３２６で開放しており、デバイス３２０のチャンバ３２３と同様にナンキンムシ隠れ場所を与えるように配置される。この場合、開口３２８ｂは、チャンバ４２３からチャンバ３２８ａ内へのナンキンムシの通過を防止するように寸法付けられ及び／又は形成されている。チャンバ４２３は、傾斜面４２３ａのそれぞれに配置される１つ又はそれ以上の捕捉形体部４２３ｂを含んでいる。この場合、各面４３２ａは、ナンキンムシＢＢが開口３２６でチャンバ４２３から出るのを妨げるように構成される。１つの形態において、面４２３ａは、研磨されたガラス又は金属、あるいは、面４２３ａを横切るナンキンムシの動きを妨げるようになっている他の静止摩擦低減物質のうちの１つ又はそれ以上を備えていてもよい。他の形態において、面４２３ａは、接着材料又はワセリンの形態を成す捕捉形体部４２３ｂを含んでいてもよい。この場合、各捕捉形体部は、ナンキンムシの動きを制限するように構成される。更なる他の形態において、面４２３ａは、チャンバ４２３から開口３２６の方向へのナンキンムシの動きを妨げる１つ又はそれ以上の機械的なバリアを有して構成されてもよい。これに加えて或いはこれに代えて、捕捉形体部４２３ｂは、ナンキンムシがチャンバ４２３から逃れるための十分な静止摩擦を防止する滑り減摩剤を含んでいてもよい。捕捉形体部４２３ｂは面４２３ａ上に示されているが、チャンバ４２３の１つ又はそれ以上の領域が１つ又はそれ以上の形態の捕捉形体部４２３ｂを含んでいてもよいことは言うまでもない。言うまでもなく、チャンバ４２３内に捕捉されるナンキンムシは、最終的な駆除、人間のオペレータによる除去、又は、飢えによる死まで、チャンバ内にとどまってもよい。また、デバイス３６０は、捕捉形体部４２３ｂに加えて或いは代えて、チャンバ４２３全体にわたって分散される１つ又はそれ以上の殺虫剤を含んでいてもよい。
【００５７】
図７に示されるように、チャンバ４２３は、誘引物質源３４６によって供給される１つ又はそれ以上の形態の誘引物質と１つ又はそれ以上の形態の殺虫剤３５６とを含んでもよい餌３６２を更に備える。餌３６２は、血粉源を真似てもよく、また、一般に、１匹又はそれ以上のナンキンムシをチャンバ４２３内に入ってチャンバから食べるように促すべく構成される。ナンキンムシが餌３６２を食べると、有毒な量の殺虫剤３５６が摂取され、それにより、ナンキンムシが駆除される。他の実施形態において、殺虫剤３５６は、摂取ではなく露出によってナンキンムシに有毒な形態で供給されてもよく、また、餌３６２の上又は餌３６２の周囲に配置されてもよい。この形態は、摂取可能な形態の殺虫剤に加えて或いは代えて使用されてもよい。１つの非限定的なアプローチは、１つのナンキンムシから隣のナンキンムシへの殺虫剤３５６の通過及び／又はナンキンムシ卵への移動を容易にして死をもたらす。
【００５８】
一般に図５〜７を参照すると、デバイス３２０，３６０は、特定のポリマー、木材、金属、又は、これらの任意の混合物を含む任意の数の適した材料を備えてもよい。チャンバ３２３，４２３の内面は、デバイス３２０，３６０の残りと同じ或いは異なる材料を備えていてもよい。例えば、１つの実施形態において、チャンバ３２３，４２３は、ナンキンムシを集め及び／又は１つ又はそれ以上のナンキンムシ卵をその上に堆積させるのに適した表面を含む。この実施形態において、表面は、織物、紙、又は、木材によって形成されるテクスチャード加工の表面であってもよい。可能な幾つかの例を挙げると、マットレス４４、ボックススプリング４５、脚部４１ａ〜４１ｄ、フレーム４２、ヘッドボード４３、壁紙、カーペット、石膏、及び、ベッドシートのうちの任意の１つ又はそれ以上に似た表面がチャンバ３２３，４２３内に含められてもよい。
【００５９】
図示の実施形態において、デバイス３２０，３６０のプラグ３３０は、一般に、壁レセプタクル１９が１１０〜１２０ボルトＡＣ電力を与えるときに部屋１５の壁レセプタクル１９と係合するように構成される。当業者であれば分かるように、突出部３３１は、レセプタクル１９と係合するための一方向キーを与えるために突出部３３２よりも僅かに大きい。極性制御が重要ではない別の形態では、突出部３３１，３３２が同じサイズであってもよい。他の実施形態では、プラグ３３０が突出部３３１，３３２に加えて第３の接地突出部を含んでいてもよい。別の実施形態では、デバイス３２０，３６０が、調整可能なプラグ３３０と、他のタイプの電力に適合でき且つレセプタクル電源が機能しないときにバックアップ電力を供給するためにレセプタクル１９を通じて充電される内部電源、例えばバッテリを含むことができる対応する回路とを含んでもよいと考えられる。
【００６０】
様々な形態において、熱源３４４は、例えば、可能な幾つかの例を挙げると、コイル抵抗ヒータ、金属酸化物抵抗ヒータ、又は、ＰＴＣ（正の温度係数）ヒータを用いることを含む任意の標準的な態様で熱を生成するために、プラグ３３０からの電力を使用してもよい。ある場合において、熱源３４４は、血粉源及び／又は適したナンキンムシ隠れ場所の存在と釣り合った量の熱を生成する。他の形態において、熱は、後述するように、誘引物質源３４６からの１つ又はそれ以上の誘引物質を解放するのに相応しい量であってもよい。１つのそのような形態において、熱源３４４は、例えば７０から１２０度の華氏温度範囲のようなナンキンムシによって最も好まれる雰囲気までチャンバ３２３の温度を増大させるように構成することができる。他の例において、熱源３４４は、血粉源の体温に似た状態にして１匹又はそれ以上のナンキンムシの誘引を高めるようにチャンバ３２３の温度を増大させるべく構成される。血粉源が人間である１つの形態では、熱源３４４によって温度が約９８．６度の華氏温度まで上昇される。チャンバ３２３の温度を変更することに加え或いは代えて、１匹又はそれ以上のナンキンムシをデバイス３２０へと引き付けるために、ファンモジュール３４２が任意の温度の熱をチャンバ３２８ａから穴３２７を通じて押し出してもよいことは言うまでもない。
【００６１】
これに代えて或いはこれに加えて、チャンバ３２３内に存在するナンキンムシを駆除できる十分な温度レベルを与えるために、熱源３４４からの熱を制御することができる。この駆除形態において、熱源３４４は、十分な露出継続時間がナンキンムシを殺すレベルまでチャンバ３２３の温度を上げるために使用されてもよい。１つの駆除形態において、温度は、おおよそ９９から１２５度の華氏温度範囲まで上げられてもよい。言うまでもなく、幾つかの実施形態では、熱源３４４が更に高い温度を与えてもよく、その場合には、更に短い露出継続時間で十分駆除できる。また、熱源３４４は、熱源３４４が加熱する時間及び／又は温度を指示するように構成される１つ又はそれ以上の制御装置と結合されてもよい。
【００６２】
誘引物質源３４６は、一般に、１つ又はそれ以上のナンキンムシをデバイス３２０，３６０のチャンバ３２３，４２３に入るように仕向けるように構成される１つ又はそれ以上の誘引物質を含む。１つ又はそれ以上の誘引物質は、可能な幾つかの例を挙げると、ゲル、ガス、エアロゾル、粉末、液体、又は、微粒子の形態であってもよい。前述したように、誘引物質源３４６と同じ或いは類似する１つ又はそれ以上の誘引物質が１つ又はそれ以上のデバイス２０，７０上で或いはその近傍で使用されてもよい。誘引物質源３４６は、選択される誘引物質（単数又は複数）と誘引物質（単数又は複数）が使用される形態とに依存する１つ又はそれ以上の保持・解放構造を含んでいてもよい。例えば、１つの形態において、誘引物質源３４６は、誘引物質を微粒子形態又は粉末形態で保持する多孔質マトリクス分配部材を含んでいてもよい。この実施形態において、誘引物質は、ファンモジュール３４２によって生成され且つチャンバ３２８ａから運ばれる或いはチャンバ３２３内へ送られる気流によって誘引物質源３４６から解放されてもよい。他の形態では、誘引物質源３４６が誘引物質を保持するゲルマトリックスを含んでいてもよい。誘引物質は、例えば、熱源３４４からの熱又はプラグ３３０によって供給される電流に晒されることによってゲルマトリックスから解放されてもよい。他の形態において、誘引物質源３４６は、経路３４５に沿うコントローラ出力信号の受信時に誘引物質を解放できる保持リザーバを含んでいてもよい。また、他の考えられる実施形態において、誘引物質は、例えば時間遅延化学反応に関連して誘引物質源３４６から徐放されてもよい。１つのそのような形態において、化学反応は、信号経路３４５によって送られるコントローラ出力信号に依存していてもよい。これらの形態のいずれにおいても、誘引物質は、それ自体の化学的特性及び物理的特性に基づいて誘引物質源３４６から発散してもよく、あるいは、ファンモジュール３４２によって形成される気流によってチャンバ３２８ａから移動され及び／又はチャンバ３２３内へ移動されてもよい。
【００６３】
誘引物質源３４６は、ナンキンムシの生存に不可欠な１つ又はそれ以上の生物学的な或いは物理的な要件を真似るように構成された自然に発生する或いは人工のナンキンムシ誘引化合物であってもよい１つ又はそれ以上の誘引物質を含む。１つの形態において、誘引物質は、鳥類或いは哺乳類のフェロモン、ホルモン、汗、表皮油、血液、コリン、及び、他の体臭、例えば口臭に関連付けられる体臭などのうちの１つ又はそれ以上の任意の組み合わせを含んでもよい。誘引物質源３４６における組成体の任意の組み合わせと関連付けられるナンキンムシ誘引は、熱源３４４による熱の生成によって更に促進されてもよい。また、ファンの助けを伴って或いは伴うことなく、熱を使用して誘引物質を解放することができる。更に、誘引物質源３４６は、制御された雰囲気中に配置されてもよく、又は、そこから、蒸発、昇華、拡散、又は、当業者が想起できるような他の機構によって１つ又はそれ以上のガスを放出してもよい。
【００６４】
１つの実施形態において、誘引物質源３４６は、ナンキンムシを引き付けるために、制御されたレベルの二酸化炭素（ＣＯ２）をデバイス３２０，３６０内及び／又はデバイス３２０，３６０の周囲に供給する。例えば、ＣＯ２レベルは、ナンキンムシのための血粉源によって発散されるＣＯ２の濃度を擬態するように調整することができる。したがって、このレベルは、家畜及びペット、コウモリ、ネズミ、又は、人間を含むがこれらに限定されない哺乳類のレベルを真似てもよい。１つの好ましい形態では、デバイス３２０，３６０内又はその周囲の雰囲気の約０．０１から１．０パーセントのＣＯ２レベルなど、人間の血粉源を示すＣＯ２レベルが与えられる。他の好ましい形態において、誘引物質源３４６は、誘引物質源３４６又はデバイス３２０，３６０のいずれかの表面の１平方メートル当たり０．００３〜０．０４２ｍＬのＣＯ２を分配してもよい。デバイス３２０，３６０は、ＣＯ２の内部リザーバと、ＣＯ２の分配率を制御するための１つ又はそれ以上の解放機構とを含んでもよい。別の実施形態では、ＣＯ２レベル変化に加えて或いは代えて、デバイス３２０，３６０内又はその周囲の雰囲気の湿度レベルが変更されてもよい。
【００６５】
誘引物質源３４６が汗擬態化合物を含む実施形態では、様々なレベルの塩化ナトリウム（ＮａＣｌ）及び尿素（（ＮＨ２）２ＣＯ）が含められてもよい。塩化ナトリウム又は尿素のうちの１つ又はそれ以上の存在を伴って或いは伴うことなく、１つ又はそれ以上の臭気物質、例えば２−メチルフェノール又は４−メチルフェノールが誘引物質源３４６に含められてもよい。１つの形態において、表皮油は、人間の脂腺によって生成される皮脂を真似てもよく、また、ワックスモノエステル、トリグリセリド、遊離脂肪酸、及び、スクアレンのうちの１つ又はそれ以上の混合物を含んでもよい。言うまでもなく、それぞれの量は、その誘引機能を助けるために、表皮油の１つ又はそれ以上の化学的特性、例えば原子の空間的配置、ｐＨレベル、又は、電気化学を制御するために変動してもよい。また、誘引物質源３４６は、幾つか例を挙げると、グルコース、乳酸、又は、胆汁酸塩、例えばコリンなどのを含む人間の身体と関連付けられる更なる化合物を含んでもよいと考えられる。更に、タウロコール酸ナトリウム及びグリココール酸ナトリウム又はこれらの混合物のうちの１つ又はそれ以上が、誘引物質源３４６内に含められる誘引物質の様々な形態及び実施形態に対して加えられてもよい。
【００６６】
他の形態において、誘引物質源３４６は、ナンキンムシと関連付けられる１つ又はそれ以上の誘引物質を含んでいてもよい。非限定的な例として、フェロモンは、集合又は凝集フェロモン、性的フェロモン、又は、攻撃的擬態フェロモンのうちの１つ又はそれ以上の形態で含められてもよい。１つの例において、フェロモンは、ナンキンムシの１つ又はそれ以上の香り生成腺中に含まれるフェロモンに類似する。他の例では、ナンキンムシ排泄物又は他のナンキンムシ分泌物の１つ又はそれ以上の抽出物が使用されてもよい。更に他の例では、水とメタノール溶媒との混合物を使用して得られる排泄物の抽出物が誘引物質として存在する。
【００６７】
言うまでもなく、餌３６２は、人工又は天然の鳥類又は哺乳類の血を含むがこれらに限定されない血粉源の任意の全体又は一部を含んでもよい。餌３６２は、デバイス３６０と関連して図示され且つデバイス３２０，３６０の両方に関連して説明されているが、他のデバイス２０，７０のいずれかと共に実施されてもよい。１つの実施において、哺乳類の血は、人間の血の形態を成していてもよく、また、赤血球、白血球、血小板、及び、血漿のうちの１つ又はそれ以上を含んでいてもよく、血漿としては、アルブミン、血栓形成因子、免疫グロブリン、ホルモン、蛋白質、及び／又は、電解質が挙げられるがこれらに限定されない。別の実施形態では、誘引特性又は摂取特性を変更するために前記要素の混合物が変わってもよいことは言うまでもない。餌３６２は、チャンバ３２３，４２３内又はその周囲に配置されてもよく、あるいは、それぞれの対応するデバイス３２０，３６０の外面又はその周囲に配置されてもよいと考えられる。１つの形態において、餌は、前述したように誘引物質源３４６によって解放される１つ又はそれ以上の形態の誘引物質と混ぜ合わされてもよい。他の形態では、図７に関して前述したように餌の消費が致死量の殺虫剤３５６をナンキンムシに対して与えるように、餌３６２が殺虫剤３５６と混合されてもよい。
【００６８】
餌３６２が利用される１つの図示しない形態において、餌は、人間を擬態するように形成される１つ又はそれ以上の形体を含んでいてもよい。例えば、皮膚を真似る外層が、１つの実施形態では人間の血液であってもよい１つ又はそれ以上の血粉形態を含む内部リザーバを囲繞してもよい。外層は、先に挙げられた誘引物質のうちの１つ又はそれ以上を含んでもよく、また、更なる形体、例えば毛穴、毛嚢、及び／又は、毛幹を更に含んでもよい。１つの特定の実施形態では、外層が人間の血粉から成る腕及び肩を示す。餌３６２は、ＣＯ２を更に放出してもよく、及び／又は、前述したようにＣＯ２制御された環境内に配置されてもよい。また、熱源３４４からの熱は、人間の表皮を示す外層の温度を形成するように含められてもよい。１又はそれ以上の形態の殺虫剤は、ナンキンムシが外層を穿孔して血粉を餌にしようとするときに致死量の殺虫剤がナンキンムシに対して供給されるように、血粉誘引物質と混合されて構成されてもよい。餌３６２は、ナンキンムシによって形成される穿孔によるリザーバからの血液損失を制限することができる１つ又はそれ以上の特徴を更に含んでいてもよい。
【００６９】
また、有線技術又は無線技術を使用してデバイス３２０，３６０の構成要素を接続できることは言うまでもない。更なる実施形態においては、情報が、有線又は無線通信信号経路によって、デバイス３２０，３６０から、更なるデータ収集及び分析のための遠隔場所へと中継される。この遠隔場所は、ホテル、介護施設、観光船、列車、寮、バラック、病院などの指定された部屋内のコンピュータネットワークによりデバイス３２０及び／又は３６０に結合されるコンピュータであってもよく、及び／又は、害虫防除サービスプロバイダビジネス場所などのような構造体に対して離れていてもよい。更なる他の構成において、システム３３８の１つ又はそれ以上の構成要素は、それらが単なる論理的な意味で別個の特徴形体として表わされるように互いに不可欠であってもよいことは言うまでもない。デバイス３２０又は３６０が空気清浄スプレー又は香料を供給するようになっていてもよく及び／又は昆虫防除動作に加えて空気清浄を行なうようになっていてもよいことは言うまでもない。
【００７０】
図８は、システム３１０を使用するための１つの手続き５００をフローチャートの形態で示している。段階５１０において、手続き５００が始まる。段階５１０の後は、システム３１０が設置される段階５２０である。このような設置は、例えば、デバイス３２０，３６０又はその１つ又はそれ以上のバリエーションを部屋１５の壁レセプタクル１９と係合させることを含む。設置後、システム３１０は、開示された１つ又はそれ以上の実施形態にしたがって１つ又はそれ以上のナンキンムシを誘引し始める。段階５４０では、ナンキンムシが存在する或いはナンキンムシ侵入を示す兆候が存在するかどうかを見るためにシステム３１０の検査が行なわれる。センサ３４８又は人間のオペレータによる視覚検査のうちの１つ又はそれ以上によって検査を容易化できると考えられる。段階５５０では、１つ又はそれ以上のナンキンムシの存在の決定が行なわれる。１つ又はそれ以上のナンキンムシが存在することが決定される場合には、段階５５５においてナンキンムシが駆除されてもよい。１つの形態では、コントローラ３４０からの出力信号に応じて駆除モジュール３５０がナンキンムシを駆除する。駆除モジュール３５０が存在しない他の形態では、人間のオペレータがナンキンムシを駆除するかどうかを決定してもよい。ナンキンムシ又はナンキンムシを示す兆候が存在せず且つナンキンムシが存在しないことを人間のオペレータに確信させるに足る十分な期間が経過した場合、オペレータは、ステップ５７０へ移行して手続き５００を終了してもよい。しかしながら、ナンキンムシの兆候が存在し或いはナンキンムシの存在の欠如について人間のオペレータに確信させるに足る十分な期間が経過しなかった場合には、矢印５６５によって示されるように、手続き５００が更に繰り返して開始されてもよい。手続き５００は、ナンキンムシ群全体が除去され及び／又はナンキンムシが存在しないことを知らせるようにナンキンムシ存在の表示を何ら伴うことなく十分な期間が経過したことを人間のオペレータが確信するまで連続的に繰り返されてもよい。
【００７１】
前述したように、１つ又はそれ以上の実施形態が１つ又はそれ以上のナンキンムシを駆除するのに有効な殺虫剤１２４，３５６を含んでもよいと考えられる。１つの形態において、殺虫剤１２４，３５６は、１，２ジクロロプロパン、１，３ジクロロプロペン、アバメクチン、アセフェート、アセキノシル、アセタミプリド、アセチオン、アセトプロール、アクリナスリン、アクリロニトリル、アラニカルブ、アルジカルブ、アルドキシカルブ、アルドリン、アレスリン、アロサミジン、アリキシカルブ、アルファサイパーメスリン、アルファエクジソン、アミジチオン、アミドフルメト、アミノカルブ、アミトン、アミトラズ、アナバシン、亜ヒ酸酸化物、アチダチオン、アザディラクチン、アザメチホス、アジンホスエチル、アジンホスメチル、アゾベンゼン、アゾシクロチン、アゾソエイト（azothoate）、バリウムヘキサフルオロシリケート、バースリン（barthrin）、ベンクロチアズ、ベンジオカルブ、ベンフラカルブ、ベノミル、ベノキサホス、ベンサルタップ、ベンゾキシメート、安息香酸ベンジル、ベータシフルスリン、ベータサイパーメスリン、ビフェナゼート、ビフェンスリン、ビナパクリル、バイオアレスリン、バイオエタノメスリン、バイオパーメスリン、ビストリフルロン、ボラックス、ホウ酸、ブロムフェンビンホス、ブロモＤＤＴ、ブロモシクレン、ブロモホス、ブロモホスエチル、ブロモプロピレート、ブフェンカルブ、ブプロフェジン、ブタカルブ、ブタチオホス、ブタカルブオキシム、ブトネート、ブトキシカルブオキシム、カデュサホス、ヒ酸カルシウム、多硫化カルシウム、カンフェクロール、カルバノレート、カルバリル、カルボフラン、二硫化炭素、四塩化炭素、カルボフェノチオン、カルボサルファン、カータップ、チノメチオナット、クロラントラニリプロール、クロルベンシド、クロルビシクレン、クロルダン、クロルデコン、クロルジメホルム、クロルエトキシホス、クロルフェナピル、クロルフェネトール、クロルフェンソン、クロルフェンサルファイド、クロルフェンビンホス、クロルフルアズロン、クロルメホス、クロロベンジレート、クロロホルム、クロロメブホルム、クロロメチウロン、クロロピクリン、クロロプロピレート、クロルフォキシム、クロルプラゾホス、クロルピリホス、クロルピリホスメチル、クロルチオホス、クロマフェノジド、シネリンＩ、シネリンＩＩ、シスメスリン、クロエトカルブ、クロフェンテジン、クロサンテル、クロチアニジン、アセト亜ヒ酸銅、ヒ酸銅、ナフテン酸銅、オレイン酸銅、クーマホス、クーミトエート（coumithoate）、クロタミトン、クロトキシホス、クルエンタレン（cruentaren）Ａ＆Ｂ、クルホメート、氷晶石、シアノフェンホス、シアノホス、シアンソエート（cyanthoate）、シクレスリン（cyclethrin）、シクロプロスリン、シエノピラフェン、シフルメトフェン、シフルスリン、シハロスリン、シヘキサチン、サイパーメスリン、シフェノスリン、シロマジン、シチオエート（cythioate）、ｄ−リモネン、ダゾメット、ＤＢＣＰ、ＤＣＩＰ、ＤＤＴ、デカルボフラン、デルタメスリン、デメフィオン、デメフィオンＯ、デメフィオンＳ、デメトン、デメトンメチル、デメトンＯ、デメトンＯメチル、デメトンＳ、デメトンＳメチ��、デメトンＳメチルスルホン、ジアフェンチウロン、ジアリホス、ジアミダホス、ジアジノン、ジカプトン、ジクロフェンチオン、ジクロフルアニド、ジクロボス、ジコフォル、ジクレシル、ジクロトホス、ジシクラニル、ジエルドリン、ジエノクロル、ジフロビダジン、ジフルベンズロン、ジロール、ジメフルスリン、ジメフォックス、ジメタン、ジメトエート、ジメスリン、ジエチルビンホス、ジメチラン、ジネックス、ジノブトン、ジノカップ、ジノカップ４、ジノカップ６、ジノクトン、ジノペントン、ジノプロップ、ジノサム、ジノスルホン、ジノテフラン、ジノテルボン、ジオフェノラン、ジオクサベンゾホス、ジオクサカルブ、ジオクサチオン、ジフェニルスルホン、ジサルフィラム、ジサルフォトン、ジチクロホス（dithicrofos）、ＤＮＯＣ、ドフェナピン、ドラメクチン、エクジステロン、エマメクチン、ＥＭＰＣ、エンペンスリン、エンドサルファン、エンドチオン、エンドリン、ＥＰＮ、エポフェノナン、エプリノメクチン、エスフェンバレレート、エタフォス（etaphos）、エチオフェンカルブ、エチオン、エチプロール、エトエートメチル、エトプロフォス、エチルＤＤＤ、蟻酸塩エチル、二臭化エチレン、二塩化エチレン、エチレンオキシド、エトフェンプロックス、エトクサゾール、エトリムホス、ＥＸＤ、ファムフール、フェナミフォス、フェナザフロール、フェナザクイン、フェンブタチンオキシド、フェンクロルフォス、フェネタカルブ（fenethacarb）、フェンフルスリン、フェニトロチオン、フェノブカルブ、フェノチカルブ、フェノクサクリム、フェノキシカルブ、フェンピリスリン、フェンプロパスリン、フェンピロキシメート、フェンソン、フェンサルフォチオン、フェンチオン、フェンチオンエチル、フェントリファニル、フェンバレレート、フィプロニル、フロニカミド、フルアクリピリム、フルアズロン、フルベンジアミド、フルベンジミン、フルコフロン、フルシクロクスロン、フルシスリネート、フルエネチル、フルフェネリム、フルフェノクスロン、フルフェンプロックス、フルメスリン、フルオルベンシド（fluorbenside）、フルバリネート、フォノホス、フォルメタネート、フォルモチオン、フォルムパラネート（formparanate）、フォスメチラン、フォスピレート、フォスチアゼート、フォスチエタン、フォスチエタン、フラチオカルブ、フレスリン、フルフラル、ガンマシハロスリン、ガンマＨＣＨ、ハルフェンプロックス、ハロフェノジド、ＨＣＨ、ＨＥＯＤ、ヘプタクロール、ヘプタノフォス、ヘテロフォス、ヘキサフルムロン、ヘキシチアゾックス、ＨＨＤＮ、ヒドラメチルノン、シアン化水素、ヒドロプレン、ヒクインカルブ（hyquincarb）、イミシアホス、イミダクロプリド、イミプロスリン、インドキサカルブ、ヨードメタン、ＩＰＳＰ、イサミドホス、イサゾホス、イソベンザン、イソカルボフォス、イソドリン、イソフェンフォス、イソプロカルブ、イソプロチオラン、イソチオエート、イソキサチオン、イベルメクチンジャスモリンＩ、ジャスモリンＩＩ、ジョドフェンフォス（jodfenphos）、幼若ホルモンＩ、幼若ホルモンＩＩ、幼若ホルモンＩＩＩ、ケレバン、キノプレン、ラムダシハロスリン、ヒ酸鉛、レピメクチン、レプトフォス、リンデン、リリムホス、ル���ェヌロン、リチダチオン、マラチオン、マロノベン、マジドックス、メカルバム、メカルフォン、メナゾン、メフォスフォラン、塩化第1水銀、メスルフェン、メスルフェンホス、メタフルミゾン、メタム、メタクリホス、メタミドフォス、メチダチオン、メチオカルブ、メトクロトフォス、メトミル、メトプレン、メトキシクロール、メトキシフェノジド、臭化メチル、イソチオシアン酸メチル、メチルクロロホルム、塩化メチレン、メトフルスリン、メトルカルブ、メトキサジアゾン、メビンフォス、ミキサカルベート、ミルベメクチン、ミルベマイシンオキシム、ミパフォクス、殺虫剤、ＭＮＡＦ、モノクロトフォス、モルフォチオン、モキシデクチン、ナフタロホス、ナレド、ナフタレン、ニコチン、ニフルリジド、ニコマイシン、ニテンピラム、ニチアジン、ニトリラカルブ、ノバルロン、ノビフルムロン、オメトエート、オキサミル、オキシデメトンメチル、オキシデプロホス、オシキジサルフォトン、パラジクロロベンゼン、パラチオン、パラチオンメチル、ペンフルロン、ペンタクロロフェノール、ペルメスリン、フェンカプトン、フェノスリン、フェントエート、フォレート、フォサロン、フォスフォラン、フォスメット、フォスニクロル、フォスファミドン、フォスフィン、フォスフォカルブ、フォキシム、フォキシムメチル、ピリメタフォス、ピリミカルブ、ピリミフォスエチル、ピリミフォスメチル、ヒ酸カリウム、チオシアン酸カリウム、ｐｐ’ＤＤＴ、プラレスリン、プレコセンＩ、プレコセンＩＩ、プレコセンＩＩＩ、プリミドフォス、プロクロノール、プロフェノホス、プロフルスリン、プロマシル、プロメカルブ、プロパフォス、プロパルガイト、プロペタムフォス、プロポクスール、プロチダチオン、プロチオホス、プロトエート、プロトリフェンビュート、ピラクロホス、ピラフルプロール、ピラゾフォス、ピレスメスリン、ピレスリンＩ、ピレスリンＩＩ、ピリダベン、ピリダリル、ピリダフェンチオン、ピリフルキナゾン、ピリミジフェン、ピリミテート、ピリプロール、ピリプロキシフェン、カシア、キナルフォス、キナルフォス、キナルフォスメチル、キノチオン、ｑｕａｎｔｉｆｉｅｓ、ラフォキサニド、レスメスリン、ロテノン、リアニア、サバジラ、シュラダン、セラメクチン、シラフルオフェン、ヒ酸ナトリウム、フッ化ナトリウム、ヘキサフルオロ・ケイ酸ナトリウム、チオシアン酸ナトリウム、ソフアミド（sophamide）、スピネトラム（ＸＤＥ−１７５）、スピノサド、スピロジクロフェン、スピロメシフェン、スピロテトラマト、サルコフロン、サルフィラム（sulfiram）サルフルルアミド（sulfluramid）、スルフォテップ、硫黄、フッ化スルフリル、サルプロホス、τフルバリネート、タジムカルブ、ＴＤＥ、テブフェノジド、テブフェンピラド、テブピリムホス、テフルベンズロン、テフルスリン、テメフォス、ＴＥＰＰ、テラレスリン、テルブホス、テトラクロロエタン、テトラクロルビンフォス、テトラジフォン、テトラメスリン、テトラアクチン、テトラサル、シータサイパーメスリン、チアクロプリド、チアメトキサム、チクロホス、チオカルボキシム、チオシクラム、チオジカルブ、チオファノクス、チオメトン、チノナジン、チオキノックス、チオサルタップ、スリンギエンシン、トルフエンピラド、トラロメスリン、トランスフルスリン、トランスペルメスリン、トリアラテン、トリアザメート、トリアゾフォス、トリクロルフォン、トリクロルメタフォス３、トリクロロナット、トリフェノホス、トリフルムロン、トリメタカルブ、トリプレン、バミドチオン、バミドチオン、バニリプロール、バニリプロール、ＸＭＣ、キシリルカルブ、ゼータサイパーメスリン、及び、ゾラプロホスのうちの１つ又はそれ以上を含んでいてもよい。
【００７２】
また、本出願の様々な実施形態を除草剤及び殺菌剤と共に使用することもできると考えられる。これは、両方とも経済的で且つ相乗効果があるからである。これに加えて或いはこれに代えて、本出願の１つ又はそれ以上の実施形態は、経済性及び相乗効果のため、抗菌薬、殺菌剤、枯れ葉剤、安全物質（safeners）、共力剤、アルジサイド、誘引物質、乾燥剤、フェロモン、忌避薬、動物のディップ、鳥殺傷剤（avicides）、消毒剤、情報物質、及び、軟体動物駆除剤（これらのカテゴリーは必ずしも相互に排他的ではない）と共に使用することができる。更に多くの情報のため、この出願の出願日の日付によりhttp://www.alanwood.net/pesticides/index.htmlで検索される「Compendium of Pesticide Common Names」を閲覧されたい。また、英国作物生産協議会（British Crop Production Council）に著作権（２００６年）があるＣＤＳ  Ｔｏｍｌｉｎによって編集された「The Pesticide Manual」第１４版を閲覧されたい。
【００７３】
本出願の様々な実施形態は、相乗作用的な混合物を形成するために他の化合物と共に使用することができる。この場合、混合物中の化合物の作用形態は、同じ、類似、あるいは、異なる。作用形態の例としては、アセチルコリンエステラーゼ阻害剤、ナトリウム・チャンネル変調剤、キチン生合成阻害剤、ＧＡＢＡゲートクロライド・チャネル拮抗剤、ＧＡＢＡ・グルタミン酸ゲートクロライド・チャネル作用剤、アセチルコリンレセプタ作用剤、ＭＥＴＩ阻害剤、Ｍｇ誘導ＡＴＰａｓｅ阻害剤、ニコチン性アセチルコリンレセプタ、中腸膜撹乱物質、及び、酸化的リン酸化撹乱物質が挙げられるが、これらに限定されない。
【００７４】
また、以下の化合物、すなわち、ピペロニルブトキシド、ピプロタル、プロピルイソメ、セサメックス、セサモリン、及び、スルホキシドは、共力剤として知られており、本出願の１つ又はそれ以上の実施形態と共に使用できる。
【００７５】
本出願の多くの異なる実施形態が想起される。１つの例において、デバイスは、１つ又はそれ以上のナンキンムシ種に代えて或いは加えて１つ又はそれ以上の昆虫種を示す１つ又はそれ以上の生化学物質を検出するように構成される。これに加えて或いはこれに代えて、殺虫剤及び他の駆除技術がナンキンムシ以外の誘引昆虫を排除するようになっていてもよい。そのような別の昆虫種としては、シラミ、Ｒｈｏｄｎｉｕｓ、及び／又は、蚊などの他の有害な昆虫を挙げることができる。
【００７６】
他の例において、１つの実施形態は、ナンキンムシが部屋内に存在するかどうかを決定するためにデバイスを作動させることを含み、これは、部屋からの物質を分析して、屋内空間内のナンキンムシに選択された生化学反応を示す生化学物質を検出するとともに、物質の分析によって生化学物質が検出される場合に、ナンキンムシが存在することを人間のオペレータに知らせることを含んでいる。デバイスの動作としては、エアゾールを加えること、雑巾検査を行なうこと、空気サンプルを取得すること、のうちの１つ又はそれ以上を挙げることができる。
【００７７】
他の例は、デバイスによって受けられる物質を分析して１つ又はそれ以上の対応するセンサ信号を生成するように構成される１つ又はそれ以上のセンサを含む検出装置と、検出装置に動作可能に結合され、１つ又はそれ以上の対応するセンサ信号に基づいて物質中にニトロフォリンが含まれているかどうかを決定し且つ物質中のニトロフォリンの存在に応じてナンキンムシの存在を表わす出力信号を生成するための動作論理を伴って構成されるコントローラと、ナンキンムシの存在にしたがって動作するために出力信号に応答する出力デバイスとを備える装置を含んでいる。装置は、出力信号に応答してナンキンムシを駆除するための手段を更に含んでいてもよい。ナンキンムシに関する１つの形態において、駆除手段は少なくとも１つの殺虫剤を含む。
【００７８】
更なる実施形態は、ナンキンムシの存在を評価するために部屋を選択し、部屋から物質を受け、物質中のニトロフォリンの存在を検出し、ニトロフォリンの存在に応じて、ナンキンムシの存在を示すデバイスを作動させることを含む。
【００７９】
更に他の実施形態は、部屋内のナンキンムシの存在を決定するための方法であって、部屋から物質のサンプルを取得し、サンプルを分析して、物質中にニトロフォリンが存在するかどうかを決定し、ニトロフォリンの存在の決定に応じてナンキンムシの存在の表示を与えることを含む方法に関するものである。
【００８０】
更なる実施形態は、昆虫隠れチャンバを形成するハウジングを含む差し込み式のデバイスと、昆虫を引き付けるようにチャンバに対して配置される電動デバイスと、電動デバイスに対して電気的に結合されるプラグ部材とを備える。プラグは、電気壁ソケット内に係合されるときに床の高さよりも上側で差し込み式デバイスを支持するために電気ソケットと係合して片持ち梁を形成するように構成される。
【００８１】
本出願の他の実施形態は、昆虫隠れ場所用のチャンバを有する昆虫トラップを設け、トラップでそのような昆虫のための血粉源の１つ又はそれ以上の表示を与えることによって１つ又はそれ以上の昆虫種をチャンバに対して引き付け、トラップ内の昆虫を検出すること及びトラップ内の昆虫に有害な殺虫剤を供給することのうちの少なくとも１つを行なう、ことを含む。１つの形態において、昆虫はナンキンムシを含む。
【００８２】
更なる実施形態は、１つ又はそれ以上の昆虫種をかくまうように構成されるチャンバと、昆虫をチャンバに対して引き付けるようにチャンバに対して配置される昆虫誘引物質とを含むデバイスを備える。誘引物質は、昆虫のための血粉源に対応する１つ又はそれ以上の表示を与える。昆虫誘引物質は、昆虫をチャンバに対して引き付けてチャンバ内の昆虫に有毒な殺虫剤に昆虫を晒すべくチャンバに対して配置される。１つの形態において、デバイスが対象とする１つ又はそれ以上の昆虫種はナンキンムシを含む。
【００８３】
更なる他の実施形態は、昆虫をかくまうように構成されるチャンバと、昆虫をチャンバに対して引き付けるようにチャンバに対して配置される昆虫誘引物質とを含むデバイスを備える。昆虫誘引物質は、昆虫血粉源を示すとともに、（ａ）昆虫血粉源に対応する熱出力、（ｂ）昆虫血粉源に対応する１つ又はそれ以上の汗構成物質、及び、（ｃ）昆虫血粉源に対応する二酸化炭素濃度のうちの１つ又はそれ以上を含む。１つの形態において、昆虫誘引物質はナンキンムシを標的にする。
【００８４】
更なる例は、昆虫隠れ場所用のチャンバを有する昆虫トラップを設け、トラップで血粉源の１つ又はそれ以上の表示を与えることによって昆虫をチャンバに対して引き付け、トラップ内の昆虫を検出すること及びトラップ内の昆虫に有害な殺虫剤を供給することのうちの少なくとも１つを行なう、ことを含む。１つの更に特別な非限定的形態は、トラップのプラグ部材を電気コンセントに係合させることによって及び／又は対象のナンキンムシをトラップと係合させることによって床の高さよりも上側でトラップを片持ち支持することを含む。
【００８５】
他の例において、ナンキンムシトラップは、ナンキンムシ隠れ場所用のチャンバを形成するとともに、トラップで血粉源の１つ又はそれ以上の表示を与えることによって昆虫をチャンバに対して引き付けるための手段と、トラップ内のナンキンムシを検出するための手段及びトラップ内のナンキンムシに有害な殺虫剤を供給するための手段のうちの少なくとも一方とを含む。１つの更に特別な非限定的構成は、トラップのプラグ部材を電気コンセントに係合させることによって床の高さよりも上側でナンキンムシトラップを片持ち支持するための手段を更に含む。
【００８６】
本出願の更なる実施形態の更に他の例は、ナンキンムシをかくまうように構成されるチャンバと、ナンキンムシをチャンバに対して引き付けるようにチャンバに対して配置されるナンキンムシ誘引物質とを有するデバイスを備える。ナンキンムシ誘引物質は、ナンキンムシ血粉源に対応する１つ又はそれ以上の表示をナンキンムシに対して与える。ナンキンムシ誘引物質は、チャンバ内のナンキンムシに有害な殺虫剤にナンキンムシを晒すために、ナンキンムシをチャンバに対して引き付けるようにチャンバに対して配置される。
【００８７】
更に他の例において、デバイスは、ナンキンムシをかくまうように構成されたチャンバを形成するとともに、ナンキンムシをチャンバに対して引き付けるようにチャンバに対して配置されるナンキンムシ誘引物質を含む。ナンキンムシ誘引物質は、ナンキンムシ血粉源を示すとともに、（ａ）ナンキンムシ血粉源に対応する熱出力、（ｂ）ナンキンムシ血粉源に対応する１つ又はそれ以上の汗構成物質、及び、（ｃ）ナンキンムシ血粉源に対応する二酸化炭素濃度のうちの１つ又はそれ以上を含む。１つの形態において、デバイスは、チャンバ内のナンキンムシを駆除するための殺虫剤を更に含む。
【００８８】
更なる例は、昆虫隠れチャンバを形成するハウジングを含む差し込み式のデバイスと、昆虫を引き付けるようにチャンバに対して配置される電動デバイスと、電動デバイスに対して電気的に結合されるプラグ部材とを備える。プラグは、電気壁ソケット内に係合されるときに床の高さよりも上側で差し込み式デバイスを支持するために電気ソケットと係合して片持ち梁を形成するように構成される。デバイスは、チャンバ内の昆虫を捕捉し或いは駆除するように更に構成されてもよい。
【００８９】
本明細書中で述べられた任意の理論、動作機構、裏付け、又は、所見は、本発明の理解を更に促すように意図されており、本発明をそのような理論、動作機構、裏付け、又は、所見に依存する任意の態様で構成しようとするものではない。先の説明における用語、好ましい（preferably）、好ましくは、又は、好ましい（preferred）は、そのように記載された特徴がより望ましい場合があることを示しているが、それにもかかわらず、その特徴が必要でない場合があり、また、前記特徴を欠く実施形態が以下の請求項によって規定される本発明の範囲内に入るものと考えられ得ることは言うまでもない。請求項を読みとるのに際し、“１つの（ａ、ａｎ）”“少なくとも１つの”“少なくとも一部”などの用語が使用される場合には、請求項中で特に反対のことが述べられていなければ、請求項を１つの項目だけに限定しようとする意図はない。また、“少なくとも一部”及び／又は“一部”という言葉が使用される場合、その項目は、特に反対のことが述べられていなければ、一部の項目及び／又は全部の項目を含む場合がある。図面及び前述の明細書本文において本発明を詳しく図示して説明してきたが、これは、例示と見なされるべきであり、文字通りに限定的に見なされるべきではなく、言うまでもなく、選択された実施形態だけが図示されて説明されており、本明細書中で規定され或いは以下の請求項によって規定される本発明の思想の範囲内に入る全ての変更、改良、及び、等価物が保護されることが望まれる。
【図１】
2010507390.tif 000003
【図２】
2010507390.tif 000004
【図３】
2010507390.tif 000005
【図４】
2010507390.tif 000006
【図５】
2010507390.tif 000007
【図６】
2010507390.tif 000008
【図７】
2010507390.tif 000009
【図８】
2010507390.tif 000010
【国際調査報告】
2010507390.tif 000011